(57)【要約】      （修正有）【課題】一つまたは複数の電子モジュールと共に使用され得る衣料および器具を提供する。【解決手段】衣類１００または運動競技用器具の使用に付随する身体的および／または生理学的特性を検知するためのモジュール１０２を含み、モジュール１０２と衣類品１００の物理的な相互作用を、モジュールおよび／または検知デバイスを起動、停止させるため、モジュールおよび衣類または運動競技用器具の相互利用が認可されているか否かを確認するため、ならびに／あるいは自動データアルゴリズム選択方法のために使用することができ、さらに、そのようなシステムおよび方法はまた、モジュールへのデータ入力のために起動および／または認証システムを使用することもでき、起動、認証、データ入力および／またはアルゴリズム選択のために、磁石および磁気検知システムならびに／または光(または他の放射線)源および検知システムを利用することができる。【選択図】図４
2014058770.tif 000002
【特許請求の範囲】
【請求項１】
センサシステムの第1の部分を含み、モジュール固定要素を有する衣類品と、
モジュール固定要素と取り外し可能に係合され、電子デバイスとセンサシステムの第2の部分とを含むモジュールと、
モジュールが衣類品との操作を認可されているものと決定された場合、モジュールまたはモジュールの少なくとも第1の機能を起動させるとともに、モジュールが衣類品との操作を認可されていないものと決定された場合、モジュールまたはモジュールの第1の機能の操作を有効にしない、モジュールと衣類品の相互操作が認可されているか否かをセンサシステムからの出力に応答して決定する、起動および認証システムとを含む、
衣類システムであって、
モジュールの第1の機能が電子デバイスの機能である、
衣類システム。
【請求項２】
センサシステムが磁気センサシステムを構成する、請求項1記載の衣類システム。
【請求項３】
磁気センサシステムの第1の部分が、モジュール固定要素に近接する場所で衣類品と係合されている磁石を含む、請求項2記載の衣類システム。
【請求項４】
モジュール固定要素が、モジュールを取り外し可能に収容するための衣類品の上または中に画定されたポケットを含む、請求項1記載の衣類システム。
【請求項５】
モジュールが、無線方式で入力データを受信するためのデータ入力システムを含む、請求項1記載の衣類システム。
【請求項６】
データ入力システムが入力データを、少なくとも部分的には、磁気パルスを介して受信する、請求項5記載の衣類システム。
【請求項７】
電子デバイスが、ユーザーが衣類品を着用している間に行う活動に付随する少なくとも1つの身体的または生理学的特性を検知する検知要素を含む、請求項1記載の衣類システム。
【発明の詳細な説明】
【技術分野】
【０００１】
発明の分野
本発明は一般に、一つまたは複数の電子モジュールと共に使用され得るおよび／または含み得る衣料および器具(例えば運動競技用衣料および運動競技用器具)に関する。本発明の局面の少なくともいくつかの例では、モジュールの起動／認証情報および／またはデータ処理アルゴリズム選択情報を提供するため、モジュールとそれが取り付けられる衣料品または器具との間の身体的相互作用および／または他の相互作用(例えば磁石源または光源と適切なセンサとの相互作用) (および／または該相互作用の不在および／または変化)を利用する。本発明の局面のさらなる例は、電子モジュールのためのデータ入力システムを含む。
【０００２】
本発明の特徴および局面はまた、参照により本明細書に全体的に組み入れられる2005年6月27日付けの共有の米国特許出願第11/166,351号の中に記載されているシステムおよび方法と併せて使用可能である。
【背景技術】
【０００３】
背景
競技および健康維持のあらゆるレベルのアスリートは、例えば自らの健康維持または進歩の改善の判断基準として、自らをテストして、自分自身および仲間の競技者の両方に対して自らの能力を測定しようと努める。アスリートが、例えば、実績の測定およびフィードバックを提供するため；表示および／または後の分析用に収集したデータを記憶するため；およびユーザーに対し情報および／または娯楽を提供するためなど、一つまたは複数の目的のために用いることのできる小型で携帯式の電子デバイスを提供することが有用である。さらに例えば、バッテリ寿命を保存し、所望でない活動に付随するデータの測定を妨げ、かつ／または無認可の使用を妨げるように、当該電子デバイスのための容易で便利かつ軽量の起動システムおよび／または認証システムを提供することが有利であろう。
【発明の概要】
【０００４】
概要
本発明の局面は、一つまたは複数の電子モジュールを含む衣類品および／または運動競技用器具に関する。これらのモジュールには、さまざまな機能を実施するための電子デバイスを含むことができ、例えばRFID情報を提供するためまたはRFIDシステムを起動するためのモジュールおよびデバイス；例えば衣類品を着用しているおよび／または運動競技用器具を使用するユーザと共に起こる活動に付随するさまざまな身体的および／または生理学的特性に関するデータもしくは情報などのデータもしくは情報を、測定、検知、受信および／または送信するための、データもしくは情報、GPS情報および／または同等物等の識別のためのモジュールおよびデバイスを含むことができる。本発明の局面はまた、モジュールおよび／またはモジュールに含まれるかまたはモジュールにより制御される電子デバイス(例えば検知デバイス、送信デバイス、受信デバイスなど)を起動および／または停止するためのさまざまなシステムおよび方法に関する。
【０００５】
本発明のさらなる局面は、モジュールおよびそれが取り付けられている衣類品および／または運動競技用器具の相互利用が認可されているか否かを確認するためのさまざまなシステムおよび方法；モジュールへのデータ入力のためのシステムおよび方法；ならびに／あるいはモジュールが使用するための自動データアルゴリズム選択用のシステムおよび方法に関する。本発明の少なくともいくつかの例においては、モジュールおよびそれが係合されている衣類品および／または運動競技用器具の間の身体的なまたは他の相互作用(および／または該相互作用の不在および／もしくは変化)を、モジュールおよび／またはモジュールに含まれる電子デバイスを起動させかつ／または停止させるために、モジュールならびに衣類および／または器具の相互利用が認可されているか否かを確認するために、ならびに／あるいは自動データアルゴリズム選択のために使用できる。本発明の少なくともいくつかのより特定的な例によるシステムおよび方法は、ホールセンサシステムなどの光源ならびに検出器および／または磁石および磁気検知システムを利用して、任意でさらなる独立したユーザー入力または相互作用を必要とせずに、さまざまなシステム(例えばモジュールまたはモジュールに含まれる電子デバイス)を起動させおよび／またはさまざまな方法を開始することができる。本発明の少なくともいくつかの例は、相互作用または相互作用の変化をひき起こす実際にモジュールの境界を越えるかまたはモジュールの中に入る物理的要素が全く無いように、モジュールならびに衣類品および／または運動競技用器具が係合されている場合、モジュールと衣類品および／または運動競技用器具の間の磁気または光相互作用および／または相互作用の変化を利用する。この特徴により、モジュールを頑丈で、水を通さないかつ／または耐久性ある方式で構築することが可能となる。
［請求項１００１］
モジュール固定要素を有する衣類品と、
モジュール固定要素と取り外し可能に係合され、電子デバイスを含むモジュールと、
モジュールがモジュール固定要素と係合されているか否かを検知し、モジュールがモジュール固定要素と係合されていることが決定された場合、モジュールまたはモジュールの少なくとも第1の機能を起動させる起動システムとを含む、
衣類システム。
［請求項１００２］
起動システムの少なくとも第1の部分が衣類品に含まれている、請求項1001記載の衣類システム。
［請求項１００３］
起動システムの第1の部分が衣類品に含まれており、起動システムの第2の部分がモジュールに含まれている、請求項1001記載の衣類システム。
［請求項１００４］
起動システムが磁気センサシステムを含む、請求項1001記載の衣類システム。
［請求項１００５］
磁気センサシステムの第1の部分が衣類品に含まれており、磁気センサシステムの第2の部分がモジュールに含まれている、請求項1004記載の衣類システム。
［請求項１００６］
磁気センサシステムの第1の部分が、モジュール固定要素に近接する場所で衣類品と係合されている磁石を含む、請求項1005記載の衣類システム。
［請求項１００７］
モジュール固定要素が、モジュールを取り外し可能に収容するための衣類品の上または中に画定されたポケットを含む、請求項1001記載の衣類システム。
［請求項１００８］
モジュールが、無線方式で入力データを受信するためのデータ入力システムを含む、請求項1001記載の衣類システム。
［請求項１００９］
データ入力システムが入力データを、少なくとも部分的には、磁気パルスを介して受信する、請求項1008記載の衣類システム。
［請求項１０１０］
電子デバイスが、ユーザーが衣類品を着用している間に行う活動に付随する少なくとも1つの身体的または生理学的特性を検知する検知要素を含む、請求項1001記載の衣類システム。
［請求項１０１１］
モジュール固定要素を有する衣類品と、
モジュール固定要素と取り外し可能に係合され、電子デバイスを含むモジュールと、
モジュールが第1の方向性でモジュール固定要素と係合されているか否かを検知し、モジュールが第1の方向性でモジュール固定要素と係合されている場合、モジュールまたはモジュールの少なくとも第1の機能を起動させる起動システムとを含む、
衣類システム。
［請求項１０１２］
起動システムが、モジュールが第2の方向性でモジュール固定要素と係合されているか否かをさらに検知し、モジュールが第2の方向性でモジュール固定要素と係合されている場合、モジュールまたはモジュールの少なくとも第1の機能が停止される、請求項1011記載の衣類システム。
［請求項１０１３］
モジュールが第1の方向性でモジュール固定要素と係合されていない場合、モジュールまたはモジュールの第1の機能が起動されないかまたは停止される、請求項1011記載の衣類システム。
［請求項１０１４］
モジュール固定要素が、モジュールを取り外し可能に収容するための衣類品の上または中に画定されたポケットを含む、請求項1011記載の衣類システム。
［請求項１０１５］
電子デバイスが、ユーザーが衣類品を着用している間に行う活動に付随する少なくとも1つの身体的または生理学的特性を検知する検知要素を含む、請求項1011記載の衣類システム。
［請求項１０１６］
モジュール固定要素を有する衣類品と、
モジュール固定要素と取り外し可能に係合され、電子デバイスを含むモジュールと、
衣類品とモジュールの相互操作が認可されているか否かを決定する認証システムとを含む、
衣類システム。
［請求項１０１７］
認証システムが、モジュールが第1の方向性でモジュール固定要素と係合されているか否かを検知する、請求項1016記載の衣類システム。
［請求項１０１８］
モジュールが第1の方向性でモジュール固定要素と係合されている場合、認証システムが、モジュールまたはモジュールの少なくとも第1の機能の起動をさらに有効化する、請求項1017記載の衣類システム。
［請求項１０１９］
モジュールが第1の方向性以外の任意の方向性でモジュール固定要素と係合されている場合、認証システムが、モジュールまたはモジュールの少なくとも第1の機能の起動を有効化しない、請求項1017記載の衣類システム。
［請求項１０２０］
モジュールが衣類品との操作を認可されていないものと決定された場合、認証システムが、モジュールまたはモジュールの少なくとも第1の機能の操作を有効化しない、請求項1016記載の衣類システム。
［請求項１０２１］
認証システムの第1の部分が衣類品に含まれており、認証システムの第2の部分がモジュールに含まれている、請求項1016記載の衣類システム。
［請求項１０２２］
認証システムが磁気センサシステムを含む、請求項1016記載の衣類システム。
［請求項１０２３］
モジュール固定要素が、モジュールを取り外し可能に収容するための衣類品の上または中に画定されたポケットを含む、請求項1016記載の衣類システム。
［請求項１０２４］
認証システムが少なくとも第1の磁石を含む、請求項1016記載の衣類システム。
［請求項１０２５］
認証システムが、少なくとも部分的には、第1の磁石がモジュール固定要素内でモジュールとの関係において予め定められた方式で方向づけされているか否かを検知することによって、衣類品とモジュールの相互操作が認可されているか否かを検知する、請求項1024記載の衣類システム。
［請求項１０２６］
認証システムが、少なくとも部分的には、第1の磁石がモジュール固定要素内でモジュールとの関係において予め定められた場所で方向づけされているか否かを検知することによって、衣類品とモジュールの相互操作が認可されているか否かを検知する、請求項1024記載の衣類システム。
［請求項１０２７］
認証システムが、少なくとも部分的には、第1の磁石が少なくとも閾値強度を有するか否かを検知することによって、衣類品とモジュールの相互操作が認可されているか否かを検知する、請求項1024記載の衣類システム。
［請求項１０２８］
認証システムが、少なくとも部分的には、第1の磁石が予め定められた範囲内の強度を有するか否かを検知することによって、衣類品とモジュールの相互操作が認可されているか否かを検知する、請求項1024記載の衣類システム。
［請求項１０２９］
認証システムが複数の磁石を含む、請求項1016記載の衣類システム。
［請求項１０３０］
認証システムが、少なくとも部分的には、複数の磁石が予め定められた方式で配置されているか否かを検知することによって、衣類品とモジュールの相互操作が認可されているか否かを検知する、請求項1029記載の衣類システム。
［請求項１０３１］
認証システムが、少なくとも部分的には、複数の磁石が互いとの関係においてまたはモジュールとの関係において予め定められた場所で配置されているか否かを検知することによって、衣類品とモジュールの相互操作が認可されているか否かを検知する、請求項1029記載の衣類システム。
［請求項１０３２］
認証システムが、少なくとも部分的には、複数の磁石が少なくとも予め定められた複合磁場強度を生成するか否かを検知することによって、衣類品とモジュールの相互操作が認可されているか否かを検知する、請求項1029記載の衣類システム。
［請求項１０３３］
認証システムが、少なくとも部分的には、複数の磁石が予め定められた範囲内の複合磁場強度を生成するか否かを検知することによって、衣類品とモジュールの相互操作が認可されているか否かを検知する、請求項1029記載の衣類システム。
［請求項１０３４］
電子デバイスが、ユーザーが衣類品を着用している間に行う活動に付随する少なくとも1つの身体的または生理学的特性を検知する検知要素を含む、請求項1016記載の衣類システム。
［請求項１０３５］
衣服部材と、
衣服部材に含まれており、電子デバイスを含むモジュールと取り外し可能に係合するための構造を含む、第1のモジュール固定要素と、
衣服部材に含まれており、モジュールにおいて検出可能な変化を誘発するために第1のモジュール固定要素内にモジュールが存在する場合、モジュールと相互作用する第1の相互作用システムとを含む、
衣類品。
［請求項１０３６］
第1の相互作用システムの少なくとも一部分が、少なくとも衣類品が使用中である際、モジュール固定要素に近接して位置する、請求項1035記載の衣類品。
［請求項１０３７］
第1のモジュール固定要素が、モジュールを収容するためのポケット部材を含む、請求項1035記載の衣類品。
［請求項１０３８］
第1の相互作用システムが複数の磁石を含む、請求項1035記載の衣類品。
［請求項１０３９］
第1のモジュール固定要素とは独立しており、かつ電子デバイスを含むモジュールと取り外し可能に係合するための構造を含む、衣服部材に含まれている第2のモジュール固定要素をさらに含む、請求項1035記載の衣類品。
［請求項１０４０］
モジュールにおいて検出可能な変化を誘発するために第2のモジュール固定要素内にモジュールが存在する場合、モジュールと相互作用する、衣服部材に含まれている第2の相互作用システムをさらに含む、請求項1039記載の衣類品。
［請求項１０４１］
モジュール固定要素を含む衣類品と、
少なくとも一部分が衣類品に含まれているモジュール起動システムと、
電子デバイスを含み、およびモジュール起動システムとモジュールの間の相互作用がモジュールにデータ処理アルゴリズム選択情報を提供する、モジュール固定要素と取り外し可能に係合されているモジュールとを含む、
衣類システム。
［請求項１０４２］
モジュール起動システムとモジュールの間の相互作用が、モジュールと係合されている衣類のタイプを示し、モジュールが相互作用に応答して示された衣類のタイプに関連するデータ処理アルゴリズムを開始する、請求項1041記載の衣類システム。
［請求項１０４３］
モジュール起動システムが磁石を含み、モジュールが磁気センサを含む、請求項1042記載の衣類システム。
［請求項１０４４］
衣類のタイプが、少なくとも部分的には、磁気センサにより測定される磁石の強度に基づいて示される、請求項1043記載の衣類システム。
［請求項１０４５］
衣類のタイプが、少なくとも部分的には、磁気センサとの関係における磁石の方向性に基づいて示される、請求項1043記載の衣類システム。
［請求項１０４６］
衣類のタイプが、少なくとも部分的には、磁気センサとの関係における磁石の位置に基づいて示される、請求項1043記載の衣類システム。
［請求項１０４７］
モジュール起動システムが複数の磁石を含み、モジュールが少なくとも1つの磁気センサを含む、請求項1042記載の衣類システム。
［請求項１０４８］
衣類のタイプが、少なくとも部分的には、磁気センサにより測定される磁石の複合強度に基づいて示される、請求項1047記載の衣類システム。
［請求項１０４９］
モジュール起動システムとモジュールの間の相互作用が、モジュールが係合されている衣類品上の場所を示し、モジュールが該相互作用に応答して示された場所に関連するデータ処理アルゴリズムを開始する、請求項1041記載の衣類システム。
［請求項１０５０］
モジュール起動システムが磁石を含み、モジュールが磁気センサを含む、請求項1049記載の衣類システム。
［請求項１０５１］
衣類品上の場所が、少なくとも部分的には、磁気センサにより測定される磁石の強度に基づいて示される、請求項1050記載の衣類システム。
［請求項１０５２］
衣類品上の場所が、少なくとも部分的には、磁気センサとの関係における磁石の方向性に基づいて示される、請求項1050記載の衣類システム。
［請求項１０５３］
衣類品上の場所が、少なくとも部分的には、磁気センサとの関係における磁石の位置に基づいて示される、請求項1050記載の衣類システム。
［請求項１０５４］
モジュール起動システムが複数の磁石を含み、モジュールが少なくとも1つの磁気センサを含む、請求項1049記載の衣類システム。
［請求項１０５５］
衣類品上の場所が、少なくとも部分的には、磁気センサにより測定される磁石の複合強度に基づいて示される、請求項1054記載の衣類システム。
［請求項１０５６］
衣類品が多数のモジュール固定要素を含み、モジュール起動システムとモジュールの間の相互作用が、モジュールが係合されている多数のモジュール固定要素のうちの特定のモジュール固定要素を示し、モジュールが該相互作用に応答して、示された特定のモジュール固定要素に関連するデータ処理アルゴリズムを開始する、請求項1041記載の衣類システム。
［請求項１０５７］
各々のモジュール固定要素が独立したモジュール起動システム部分を含む、請求項1056記載の衣類システム。
［請求項１０５８］
各々の独立したモジュール起動システム部分が磁石を含み、モジュールが磁気センサを含む、請求項1057記載の衣類システム。
［請求項１０５９］
モジュールが特定のモジュール固定要素と係合されている場合、モジュールが係合されている特定のモジュール固定要素は、少なくとも部分的には、磁気センサにより測定される磁石の強度に基づいて示される、請求項1058記載の衣類システム。
［請求項１０６０］
モジュールが特定のモジュール固定要素と係合されている場合、モジュールが係合されている特定のモジュール固定要素は、少なくとも部分的には、磁気センサとの関係における磁石の方向性に基づいて示される、請求項1058記載の衣類システム。
［請求項１０６１］
モジュールが特定のモジュール固定要素と係合されている場合、モジュールが係合されている特定のモジュール固定要素は、少なくとも部分的には、磁気センサとの関係における磁石の位置に基づいて示される、請求項1058記載の衣類システム。
［請求項１０６２］
モジュール固定要素がモジュールを収容するためのポケットを含む、請求項1041記載の衣類システム。
［請求項１０６３］
電子デバイスが、ユーザーが衣類品を着用している間に行う活動に付随する少なくとも1つの身体的または生理学的特性を検知する検知要素を含む、請求項1041記載の衣類システム。
［請求項１０６４］
ハウジングと、
運動競技パフォーマンスに付随する少なくとも1つの身体的または生理学的特性を示す情報を検知するため、少なくとも部分的にハウジングの内部または上に設けられている検知要素と、
検知要素が運動競技パフォーマンスに付随する身体的または生理学的特性を検知していない場合、少なくとも時々入力データを受信することができる、無線方式で入力データを受信するため、少なくとも部分的にハウジングの内部または上に設けられている、データ入力システムと、
ハウジングが係合されている衣類品とを含む、
身体的または生理学的パフォーマンス監視システム。
［請求項１０６５］
データ入力システムが入力データを、少なくとも部分的には、磁気パルスを介して受信する、請求項1064記載の身体的または生理学的パフォーマンス監視システム。
［請求項１０６６］
検知要素を起動させるかまたは起動を有効化する、少なくとも部分的には、衣類品と係合されている起動システムをさらに含む、請求項1064記載の身体的または生理学的パフォーマンス監視システム。
［請求項１０６７］
衣類品および検知要素の相互利用が認可されたか否かを検知する、少なくとも部分的には、衣類品と係合されている認証システムをさらに含む、請求項1064記載の身体的または生理学的パフォーマンス監視システム。
［請求項１０６８］
ハウジングが衣類品と取り外し可能に係合されている、請求項1064記載の身体的または生理学的パフォーマンス監視システム。
［請求項１０６９］
モジュール固定要素を有する運動競技用器具と、
電子デバイスを含む、モジュール固定要素と取り外し可能に係合されているモジュールと、
モジュールがモジュール固定要素と係合されているか否かを検知し、モジュールがモジュール固定要素と係合されていると決定された場合、モジュールまたはモジュールの少なくとも第1の機能を起動させる起動システムとを含む、
運動競技用器具システム。
［請求項１０７０］
起動システムの少なくとも第1の部分が運動競技用器具に含まれている、請求項1069記載の運動競技用器具システム。
［請求項１０７１］
起動システムの第1の部分が運動競技用器具に含まれており、起動システムの第2の部分がモジュールに含まれている、請求項1069記載の運動競技用器具システム。
［請求項１０７２］
起動システムが磁気センサシステムを含む、請求項1069記載の運動競技用器具システム。
［請求項１０７３］
磁気センサシステムの第1の部分が運動競技用器具に含まれており、磁気センサシステムの第2の部分がモジュールに含まれている、請求項1072記載の運動競技用器具システム。
［請求項１０７４］
磁気センサシステムの第1の部分が、モジュール固定要素に近接する場所に運動競技用器具と係合されている磁石を含む、請求項1073記載の運動競技用器具システム。
［請求項１０７５］
モジュール固定要素が、モジュールを取り外し可能に収容するための運動競技用器具の上または中に画定されたレセプタクル(receptacle)を含む、請求項1069記載の運動競技用器具システム。
［請求項１０７６］
モジュールが、無線方式で入力データを受信するためのデータ入力システムを含む、請求項1069記載の運動競技用器具システム。
［請求項１０７７］
データ入力システムが、少なくとも部分的には、磁気パルスを介して入力データを受信する、請求項1076記載の運動競技用器具システム。
［請求項１０７８］
電子デバイスが、運動競技用器具の使用に付随する少なくとも1つの身体的特性を検知する検知要素を含む、請求項1069記載の運動競技用器具システム。
［請求項１０７９］
モジュール固定要素を有する運動競技用器具と、
電子デバイスを含み、モジュール固定要素と取り外し可能に係合されているモジュールと、
モジュールが第1の方向性でモジュール固定要素と係合されているか否かを検知し、モジュールが第1の方向性でモジュール固定要素と係合されている場合、モジュールまたはモジュールの少なくとも第1の機能を起動させる、起動システムとを含む、
運動競技用器具システム。
［請求項１０８０］
起動システムが、モジュールが第2の方向性でモジュール固定要素と係合されているか否かをさらに検知し、モジュールが第2の方向性でモジュール固定要素と係合されている場合、モジュールまたはモジュールの少なくとも第1の機能が停止される、請求項1079に記載の運動競技用器具システム。
［請求項００８１］
モジュールが第1の方向性でモジュール固定要素と係合されていない場合、モジュールまたはモジュールの第1の機能が起動されないかまたは停止される、請求項1079記載の運動競技用器具システム。
［請求項１０８２］
モジュール固定要素が、モジュールを取り外し可能に収容するための運動競技用器具の上または中に画定されたレセプタクルを含む、請求項1079記載の運動競技用器具システム。
［請求項１０８３］
電子デバイスが、運動競技用器具の使用に付随する少なくとも1つの身体的特性を検知する検知要素を含む、請求項1079記載の運動競技用器具システム。
［請求項１０８４］
モジュール固定要素を有する運動競技用器具と、
電子デバイスを含み、モジュール固定要素と取り外し可能に係合されているモジュールと、
運動競技用器具とモジュールとの相互操作が認可されているか否かを決定する認証システムとを含む、
運動競技用器具システム。
［請求項１０８５］
認証システムが、モジュールが第1の方向性でモジュール固定要素と係合されているか否かを検知する、請求項1084記載の運動競技用器具システム。
［請求項１０８６］
モジュールが第1の方向性でモジュール固定要素と係合されている場合、認証システムが、モジュールまたはモジュールの少なくとも第1の機能の起動をさらに有効化する、請求項1085記載の運動競技用器具システム。
［請求項１０８７］
モジュールが第1の方向性以外の任意の方向性でモジュール固定要素と係合されている場合、認証システムが、モジュールまたはモジュールの少なくとも第1の機能の起動を有効化しない、請求項1085記載の運動競技用器具システム。
［請求項１０８８］
モジュールが運動競技用器具との操作の認可を受けていないものと決定された場合、認証システムが、モジュールまたはモジュールの少なくとも第1の機能の操作を有効化しない、請求項1084記載の運動競技用器具システム。
［請求項１０８９］
認証システムの第1の部分が運動競技用器具に含まれており、認証システムの第2の部分がモジュールに含まれている、請求項1084記載の運動競技用器具システム。
［請求項１０９０］
認証システムが磁気センサシステムを含む、請求項1084記載の運動競技用器具システム。
［請求項１０９１］
モジュール固定要素が、モジュールを取り外し可能に収容するための運動競技用器具の上または中に画定されたレセプタクルを含む、請求項1084記載の運動競技用器具システム。
［請求項１０９２］
認証システムが少なくとも第1の磁石を含む、請求項1084記載の運動競技用器具システム。
［請求項１０９３］
認証システムが、少なくとも部分的には、第1の磁石がモジュール固定要素内でモジュールとの関係において予め定められた方式で方向づけされているか否かを検知することによって、運動競技用器具とモジュールの相互操作が認可されているか否かを検知する、請求項1092記載の運動競技用器具システム。
［請求項１０９４］
認証システムが、少なくとも部分的には、第1の磁石がモジュール固定要素内でモジュールとの関係において予め定められた場所で方向づけされているか否かを検知することによって、運動競技用器具とモジュールの相互操作が認可されているか否かを検知する、請求項1092記載の運動競技用器具システム。
［請求項１０９５］
認証システムが、少なくとも部分的には、第1の磁石が少なくとも閾値強度を有するか否かを検知することによって、運動競技用器具とモジュールの相互操作が認可されているか否かを検知する、請求項1092記載の運動競技用器具システム。
［請求項１０９６］
認証システムが、少なくとも部分的には、第1の磁石が予め定められた範囲内の強度を有するか否かを検知することによって、運動競技用器具とモジュールの相互操作が認可されているか否かを検知する、請求項1092記載の運動競技用器具システム。
［請求項１０９７］
認証システムが複数の磁石を含む、請求項1084記載の運動競技用器具システム。
［請求項１０９８］
認証システムが、少なくとも部分的には、複数の磁石が予め定められた方式で配置されているか否かを検知することによって、運動競技用器具とモジュールの相互操作が認可されているか否かを検知する、請求項1097記載の運動競技用器具システム。
［請求項１０９９］
認証システムが、少なくとも部分的には、複数の磁石がお互いの関係においてまたはモジュールとの関係において予め定められた場所で配置されているか否かを検知することによって、運動競技用器具とモジュールの相互操作が認可されているか否かを検知する、請求項1097記載の運動競技用器具システム。
［請求項１１００］
認証システムが、少なくとも部分的には、複数の磁石が少なくとも予め定められた複合磁場強度を生成するか否かを検知することによって、運動競技用器具とモジュールの相互操作が認可されているか否かを検知する、請求項1097記載の運動競技用器具システム。
［請求項１１０１］
認証システムが、少なくとも部分的には、複数の磁石が予め定められた範囲内の複合磁場強度を生成するか否かを検知することによって、運動競技用器具とモジュールの相互操作が認可されているか否かを検知する、請求項1097記載の運動競技用器具システム。
［請求項１１０２］
電子デバイスが、運動競技用器具の使用に付随する少なくとも1つの身体的特性を検知する検知要素を含む、請求項1084記載の運動競技用器具システム。
［請求項１１０３］
運動競技用器具と、
電子デバイスを含むモジュールと取り外し可能に係合するための構造を含み、運動競技用器具に含まれている、第1のモジュール固定要素と、
モジュールにおいて検出可能な変化を誘発するために第1のモジュール固定要素内にモジュールが存在する場合、モジュールと相互作用し、運動競技用器具に含まれている、第1の相互作用システムとを含む、
運動競技用器具システム。
［請求項１１０４］
第1の相互作用システムの少なくとも一部分が、少なくとも運動競技用器具が使用中である場合、モジュール固定要素に近接して位置する、請求項1103記載の運動競技用器具システム。
［請求項１１０５］
第1のモジュール固定要素が、モジュールを収容するために運動競技用器具内に画定されたレセプタクルを含む、請求項1103記載の運動競技用器具システム。
［請求項１１０６］
第1の相互作用システムが複数の磁石を含む、請求項1103記載の運動競技用器具システム。
［請求項１１０７］
第1のモジュール固定要素とは独立しており、電子デバイスを含むモジュールと取り外し可能に係合するための構造を含む、運動競技用器具に含まれている第2のモジュール固定要素をさらに含む、請求項1103記載の運動競技用器具システム。
［請求項１１０８］
モジュールにおいて検出可能な変化を誘発するために第2のモジュール固定要素内にモジュールが存在する場合、モジュールと相互作用する、運動競技用器具に含まれている第2の相互作用システムをさらに含む、請求項1107記載の運動競技用器具システム。
［請求項１１０９］
モジュール固定要素を含む運動競技用器具と、
少なくとも一部分が運動競技用器具に含まれているモジュール起動システムと、
電子デバイスを含み、モジュール起動システムとモジュールの間の相互作用がモジュールにデータ処理アルゴリズム選択情報を提供する、モジュール固定要素と取り外し可能に係合されている、モジュールとを含む、
運動競技用器具システム。
［請求項１１１０］
モジュール起動システムとモジュールの間の相互作用がモジュールと係合されている運動競技用器具のタイプを示し、該相互作用に応答してモジュールが示された運動競技用器具のタイプに関連するデータ処理アルゴリズムを開始する、請求項1109記載の運動競技用器具システム。
［請求項１１１１］
モジュール起動システムが磁石を含み、モジュールが磁気センサを含む、請求項1110記載の運動競技用器具システム。
［請求項１１１２］
運動競技用器具のタイプが、少なくとも部分的には、磁気センサにより測定される磁石の強度に基づいて示される、請求項1111記載の運動競技用器具システム。
［請求項１１１３］
運動競技用器具のタイプが、少なくとも部分的には、磁気センサとの関係における磁石の方向性に基づいて示される、請求項1111記載の運動競技用器具システム。
［請求項１１１４］
運動競技用器具のタイプが、少なくとも部分的には、磁気センサとの関係における磁石の位置に基づいて示される、請求項1111記載の運動競技用器具システム。
［請求項１１１５］
モジュール起動システムが複数の磁石を含み、モジュールが少なくとも1つの磁気センサを含む、請求項1110記載の運動競技用器具システム。
［請求項１１１６］
運動競技用器具のタイプが、少なくとも部分的には、磁気センサにより測定される磁石の複合強度に基づいて示される、請求項1115記載の運動競技用器具システム。
［請求項１１１７］
モジュール起動システムとモジュールの間の相互作用が、モジュールが係合されている運動競技用器具上の場所を示し、モジュールが該相互作用に応答して示された場所に関連するデータ処理アルゴリズムを開始する、請求項1109記載の運動競技用器具システム。
［請求項１１１８］
モジュール起動システムが磁石を含み、モジュールが磁気センサを含む、請求項1117記載の運動競技用器具システム。
［請求項１１１９］
運動競技用器具上の場所が、少なくとも部分的には、磁気センサにより測定される磁石の強度に基づいて示される、請求項1118記載の運動競技用器具システム。
［請求項１１２０］
運動競技用器具上の場所が、少なくとも部分的には、磁気センサとの関係における磁石の方向性に基づいて示される、請求項1118記載の運動競技用器具システム。
［請求項１１２１］
運動競技用器具上の場所が、少なくとも部分的には、磁気センサとの関係における磁石の位置に基づいて示される、請求項1118記載の運動競技用器具システム。
［請求項１１２２］
モジュール起動システムが複数の磁石を含み、モジュールが少なくとも1つの磁気センサを含む、請求項1117記載の運動競技用器具システム。
［請求項１１２３］
運動競技用器具上の場所が、少なくとも部分的には、磁気センサにより測定される磁石の複合強度に基づいて示される、請求項1122記載の運動競技用器具システム。
［請求項１１２４］
運動競技用器具が多数のモジュール固定要素を含み、モジュール起動システムとモジュールの間の相互作用が、モジュールが係合されている多数のモジュール固定要素のうちの特定のモジュール固定要素を示し、モジュールが該相互作用に応答して示された特定のモジュール固定要素に関連するデータ処理アルゴリズムを開始する、請求項1109記載の運動競技用器具システム。
［請求項１１２５］
各々のモジュール固定要素が独立したモジュール起動システム部分を含む、請求項1124記載の運動競技用器具システム。
［請求項１１２６］
各々の独立したモジュール起動システム部分が磁石を含み、モジュールが磁気センサを含む、請求項1125記載の運動競技用器具システム。
［請求項１１２７］
モジュールが係合されている特定のモジュール固定要素が、少なくとも部分的には、モジュールが特定のモジュール固定要素と係合されている場合、磁気センサにより測定される磁石の強度に基づいて示される、請求項1126記載の運動競技用器具システム。
［請求項１１２８］
モジュールが係合されている特定のモジュール固定要素が、少なくとも部分的には、モジュールが特定のモジュール固定要素と係合されている場合、磁気センサとの関係における磁石の方向性に基づいて示される、請求項1126記載の運動競技用器具システム。
［請求項１１２９］
モジュールが係合されている特定のモジュール固定要素が、少なくとも部分的には、モジュールが特定のモジュール固定要素と係合されている場合、磁気センサとの関係における磁石の位置に基づいて示される、請求項1126記載の運動競技用器具システム。
［請求項１１３０］
モジュール固定要素がモジュールを収容するための運動競技用器具内に画定されたレセプタクルを含む、請求項1109記載の運動競技用器具システム。
［請求項１１３１］
電子デバイスが、運動競技用器具品の使用に付随する少なくとも1つの身体的特性を検知する検知要素を含む、請求項1109記載の運動競技用器具システム。
［請求項１１３２］
ハウジングと、
運動競技パフォーマンスに付随する少なくとも1つの身体的または生理学的特性を示す情報を検知するため、少なくとも部分的にハウジングの内部または上に設けられている検知要素と、
検知要素が運動競技パフォーマンスに付随する身体的または生理学的特性を検知していない場合、少なくとも時々入力データを受信することができる、無線方式で入力データを受信するため、少なくとも部分的にハウジングの内部または上に設けられているデータ入力システムと、
ハウジングが係合されている運動競技用器具とを含む、
身体的または生理学的パフォーマンス監視システム。
［請求項１１３３］
データ入力システムが、少なくとも部分的には、磁気パルスを介して入力データを受信する、請求項1132記載の身体的または生理学的パフォーマンス監視システム。
［請求項１１３４］
検知要素を起動させるかまたはその起動を有効化し、少なくとも部分的には、運動競技用器具と係合されている起動システムをさらに含む、請求項1132記載の身体的または生理学的パフォーマンス監視システム。
［請求項１１３５］
運動競技用器具と検知要素との相互利用が認可されたか否かを検知し、少なくとも部分的には、運動競技用器具と係合されている認証システムをさらに含む、請求項1132記載の身体的または生理学的パフォーマンス監視システム。
［請求項１１３６］
ハウジングが運動競技用器具と取り外し可能に係合されている、請求項1132記載の身体的または生理学的パフォーマンス監視システム。
［請求項１１３７］
電子デバイスを含む電子モジュールを、衣類品の中または上に設けられたモジュール固定要素と係合させる段階；および
係合させる段階に応答してモジュールまたはモジュールの少なくとも第1の機能を自動的に起動させる段階
を含む、電子モジュールの起動方法。
［請求項１１３８］
衣類品が、モジュールまたはモジュールの第1の機能を起動させるための起動システムの少なくとも第1の部分を含む、請求項1137記載の方法。
［請求項１１３９］
モジュールが、モジュールまたはモジュールの少なくとも第1の機能を起動させるための起動システムの少なくとも第1の部分を含む、請求項1137記載の方法。
［請求項１１４０］
起動させる段階が、磁気センサシステムからの出力に応答して起こる、請求項1137記載の方法。
［請求項１１４１］
磁気センサシステムの第1の部分が衣類品に含まれており、磁気センサシステムの第2の部分がモジュールに含まれている、請求項1140記載の方法。
［請求項１１４２］
モジュールがモジュール固定要素と係合されている間に、無線方式でモジュールに対しデータを入力する段階をさらに含む、請求項1137記載の方法。
［請求項１１４３］
データが、少なくとも部分的には、磁気パルスを介して入力される、請求項1142記載の方法。
［請求項１１４４］
モジュール固定要素からモジュールを外す段階であって、モジュールまたはモジュールの少なくとも第1の機能を自動的に停止させる段階をさらに含む、請求項1137記載の方法。
［請求項１１４５］
電子デバイスが、ユーザーが衣類品を着用している間に行う活動に付随する少なくとも1つの身体的または生理学的特性を検知する検知要素を含む、請求項1137記載の方法。
［請求項１１４６］
電子デバイスを含む電子モジュールを、第1の方向性で、衣類品の中または上に設けられたモジュール固定要素と係合させる段階；および
第1の方向性が予め定められた起動の方向性に対応する場合、モジュールまたはモジュールの少なくとも第1の機能を起動させる段階
を含む、電子モジュールの起動方法。
［請求項１１４７］
第1の方向性が予め定められた起動の方向性に対応している、請求項1146記載の方法。
［請求項１１４８］
モジュール固定要素からモジュールを外す段階であって、モジュールまたはモジュールの少なくとも第1の機能を停止させる段階をさらに含む、請求項1147記載の方法。
［請求項１１４９］
外す段階の後、第1の方向性とは異なる第2の方向性でモジュールとモジュール固定要素を係合させる段階をさらに含む、請求項1148記載の方法。
［請求項１１５０］
第2の方向性が予め定められた起動の方向性に対応しない場合、モジュールまたはモジュールの少なくとも第1の機能が停止されるかまたは停止状態にとどまる、請求項1149記載の方法。
［請求項１１５１］
第1の方向性が予め定められた起動の方向性に対応する場合、係合させる段階に応答して起動させる段階が自動的に起こる、請求項1146記載の方法。
［請求項１１５２］
第1の方向性が予め定められた起動の方向性に対応しない場合、モジュールまたはモジュールの少なくとも第1の機能を非作動状態に置くかまたは非作動状態に維持する段階をさらに含む、請求項1146記載の方法。
［請求項１１５３］
第1の方向性が予め定められた起動の方向性に対応するか否かを検知する段階であって、第1の方向性が予め定められた起動の方向性に対応するものとして検知された場合、起動させる段階が起こり、第1の方向性が予め定められた起動の方向性に対応しないものとして検知された場合、起動させる段階が起こらない段階をさらに含む、請求項1146記載の方法。
［請求項１１５４］
衣類品が、モジュールまたはモジュールの第1の機能を起動させるための起動システムの少なくとも第1の部分を含む、請求項1146記載の方法。
［請求項１１５５］
モジュールが、モジュールまたはモジュールの少なくとも第1の機能を起動させるための起動システムの少なくとも第1の部分を含む、請求項1146記載の方法。
［請求項１１５６］
起動させる段階が磁気センサシステムからの出力に応答して起こる、請求項1146記載の方法。
［請求項１１５７]
モジュール固定要素が、電子モジュールを取り外し可能に収容するための衣類品の上または中に画定されたポケットを含む、請求項1146記載の方法。
[請求項１１５８]
電子デバイスが、ユーザーが衣類品を着用している間に行う活動に付随する少なくとも1つの身体的または生理学的特性を検知する検知要素を含む、請求項1146記載の方法。
[請求項１１５９]
電子デバイスを含む電子モジュールを、衣類品の中または上に設けられたモジュール固定要素と係合させる段階；
モジュールと衣類品の相互操作が認可されているか否かを決定する段階；および
モジュールと衣類品の相互操作が認可されていることが決定された場合、モジュールまたはモジュールの少なくとも第1の機能を起動させる段階
を含む、電子モジュールの起動方法。
[請求項１１６０]
決定する段階が、モジュールが第1の方向性でモジュール固定要素と係合されているか否かを決定する段階を含む、請求項1159記載の方法。
[請求項１１６１]
モジュールが、第1の方向性以外の方向性でモジュール固定要素と係合されていることが決定された場合、モジュールまたはモジュールの少なくとも第1の機能を停止させる段階をさらに含む、請求項1160記載の方法。
[請求項１１６２]
モジュールが、第1の方向性以外の方向性でモジュール固定要素と係合されていることが決定された場合、モジュールまたはモジュールの少なくとも第1の機能を非作動状態に維持する段階をさらに含む、請求項1160記載の方法。
[請求項１１６３]
モジュールと衣類品の相互操作が認可されていないことが決定された場合、モジュールまたはモジュールの少なくとも第1の機能を停止させる段階をさらに含む、請求項1159記載の方法。
[請求項１１６４]
モジュールと衣類品の相互操作が認可されていないことが決定された場合、モジュールまたはモジュールの少なくとも第1の機能を非作動状態に維持する段階をさらに含む、請求項1159記載の方法。
[請求項１１６５]
決定する段階が磁気センサシステムからの出力に応答して起こる、請求項1159記載の方法。
[請求項１１６６]
モジュール固定要素が、モジュールを取り外し可能に収容するための衣類品の上または中に画定されたポケットを含む、請求項1159記載の方法。
[請求項１１６７]
決定する段階が、第1の磁石により生成された磁場を検知する段階を含む、請求項1159記載の方法。
[請求項１１６８]
決定する段階が、第1の磁石が、モジュール固定要素と係合されているモジュールとの関係において、予め定められた方式で方向づけされているか否かを決定する段階を含む、請求項1167記載の方法。
[請求項１１６９]
決定する段階が、第1の磁石が、モジュール固定要素と係合されているモジュールとの関係において、予め定められた場所で方向づけされているか否かを決定する段階を含む、請求項1167記載の方法。
[請求項１１７０]
決定する段階が、第1の磁石が少なくとも閾値強度を有するか否かを決定する段階を含む、請求項1167記載の方法。
[請求項１１７１]
決定する段階が、第1の磁石が予め定められた範囲内の強度を有するか否かを決定する段階を含む、請求項1167記載の方法。
[請求項１１７２]
決定する段階が、複数の磁石により生成される磁場を検知する段階を含む、請求項1159記載の方法。
[請求項１１７３]
決定する段階が、磁石がモジュール固定要素と係合されているモジュールとの関係において予め定められた方式で方向づけされているか否かを決定する段階を含む、請求項1172記載の方法。
[請求項１１７４]
決定する段階が、磁石がモジュール固定要素と係合されているモジュールとの関係において予め定められた場所で方向づけされているか否かを決定する段階を含む、請求項1172記載の方法。
[請求項１１７５]
決定する段階が、複数の磁石が少なくとも予め定められた複合磁場強度を生成するか否かを決定する段階を含む、請求項1172記載の方法。
[請求項１１７６]
決定する段階が、複数の磁石が予め定められた範囲内の複合磁場強度を生成するか否かを決定する段階を含む、請求項1172記載の方法。
[請求項１１７７]
電子デバイスが、ユーザーが衣類品を着用している間に行う活動に付随する少なくとも1つの身体的または生理学的特性を検知する検知要素を含む、請求項1159記載の方法。
[請求項１１７８]
衣服部材とモジュールを取り外し可能に係合させるための構造を含む第1のモジュール固定要素を、衣服部材の中または上に設ける段階；および
モジュールが第1のモジュール固定要素と係合されている場合、少なくとも部分的には、検出可能な変化を誘発するように作動する、第1の相互作用システムを衣服部材の中または上に設ける段階
を含む、衣類品の生産方法。
[請求項１１７９]
第1のモジュール固定要素が、少なくとも部分的に衣服の上または中に画定されているポケット部材を含む、請求項1178記載の方法。
[請求項１１８０]
第1の相互作用システムが、第1のモジュール固定要素に近接して衣服部材の中または上に設けられた第1の磁石を含む、請求項1178記載の方法。
[請求項１１８１]
第1のモジュール固定要素とは独立しておりかつ衣服構造とモジュールを取り外し可能に係合させるための構造を含む第2のモジュール固定要素を衣服構造の中または上に設ける段階をさらに含む、請求項1178記載の方法。
[請求項１１８２]
モジュールが第2のモジュール固定要素と係合されている場合、少なくとも部分的にはモジュールにおいて検出可能な変化を誘発するように作動する第2の相互作用システムを衣服構造の中または上に設ける段階をさらに含む、請求項1181記載の方法。
[請求項１１８３]
電子デバイスを含むモジュールを、衣類品の中または上に設けられたモジュール固定要素と係合させる段階；
モジュールが係合されている衣類品の中の場所または衣類品のタイプを決定する段階；および
決定された衣類品の場所またはタイプに基づいてデータ処理アルゴリズムを選択する段階
を含む、データ処理アルゴリズム選択方法。
[請求項１１８４]
衣類品がモジュール起動システムを含み、決定する段階がモジュール起動システムとモジュールとの間の相互作用の特性を検知する段階を含み、検知された特性がモジュールと係合されている衣類のタイプを示す、請求項1183記載の方法。
[請求項１１８５]
モジュール起動システムが磁石を含み、モジュールが磁気センサを含む、請求項1184記載の方法。
[請求項１１８６]
衣類のタイプが、少なくとも部分的には、磁気センサにより測定される磁石の強度に基づいて示される、請求項1185記載の方法。
[請求項１１８７]
衣類のタイプが、少なくとも部分的には、磁気センサとの関係における磁石の方向性に基づいて示される、請求項1185記載の方法。
[請求項１１８８]
衣類のタイプが、少なくとも部分的には、磁気センサとの関係における磁石の位置に基づいて示される、請求項1185記載の方法。
[請求項１１８９]
モジュール起動システムが複数の磁石を含み、モジュールが少なくとも1つの磁気センサを含む、請求項1184記載の方法。
[請求項１１９０]
衣類のタイプが、少なくとも部分的には、磁気センサにより測定される磁石の複合強度に基づいて示される、請求項1189記載の方法。
[請求項１１９１]
モジュール固定要素がモジュールを収容するためのポケットを含む、請求項1183記載の方法。
[請求項１１９２]
選択されたデータ処理アルゴリズムを開始する段階をさらに含む、請求項1183記載の方法。
[請求項１１９３]
決定する段階が、磁気センサシステムにより生成された出力に応答して起こる、請求項1183記載の方法。
[請求項１１９４]
決定する段階が、第1の磁石により生成された磁場を検知する段階を含む、請求項1183記載の方法。
[請求項１１９５]
決定する段階が、第1の磁石がモジュール固定要素内のモジュールとの関係において予め定められた方式で方向づけされているか否かを決定する段階を含む、請求項1194記載の方法。
[請求項１１９６]
決定する段階が、第1の磁石がモジュール固定要素内のモジュールとの関係において予め定められた場所で方向づけされているか否かを決定する段階を含む、請求項1194記載の方法。
[請求項１１９７]
決定する段階が、第1の磁石が少なくとも閾値強度を有するか否かを決定する段階を含む、請求項1194記載の方法。
[請求項１１９８]
決定する段階が、第1の磁石が予め定められた範囲内の強度を有するか否かを決定する段階を含む、請求項1194記載の方法。
[請求項１１９９]
決定する段階が、複数の磁石により生成される磁場を検知する段階を含む、請求項1183記載の方法。
[請求項１２００]
決定する段階が、磁石がモジュール固定要素内のモジュールとの関係において予め定められた方式で方向づけされているか否かを決定する段階を含む、請求項1199記載の方法。
[請求項１２０１]
決定する段階が、磁石がモジュール固定要素内のモジュールとの関係において予め定められた場所で方向づけされているか否かを決定する段階を含む、請求項1199記載の方法。
[請求項１２０２]
決定する段階が、複数の磁石が少なくとも予め定められた複合磁場強度を生成するか否かを決定する段階を含む、請求項1199記載の方法。
[請求項１２０３]
決定する段階が、複数の磁石が予め定められた範囲内の複合磁場強度を生成するか否かを決定する段階を含む、請求項1199記載の方法。
[請求項１２０４]
電子デバイスが、ユーザーが衣類品を着用する間に行う活動に付随する少なくとも1つの身体的または生理学的特性を検知する検知要素を含む、請求項1183記載の方法。
[請求項１２０５]
メモリーおよび運動競技パフォーマンスに付随する少なくとも1つの身体的または生理学的特性を検知するための検知要素を含むモジュールを提供する段階；
無線方式で行なわれ、少なくとも一部分が、運動競技パフォーマンスに付随する身体的または生理学的特性を検知要素が検知していない間に行われる、メモリーにデータを入力する段階；および
モジュールを衣類品と係合させる段階
を含む、データ取扱い方法。
[請求項１２０６]
入力する段階が磁気パルスにモジュールを曝露する段階を含む、請求項1205記載の方法。
[請求項１２０７]
係合させる段階に応答して、モジュールまたは検知要素を自動的に起動させる段階をさらに含む、請求項1205記載の方法。
[請求項１２０８]
衣類品と検知要素の相互利用が認可されたか否かを決定する段階をさらに含む、請求項1205記載の方法。
[請求項１２０９]
決定する段階が、係合させる段階に応答して自動的に起こる、請求項1208記載の方法。
[請求項１２１０]
モジュールが衣類品と取り外し可能に係合されている、請求項1205記載の方法。
[請求項１２１１]
データを入力する段階が、モジュールを衣類品と係合させる段階に先立って起こる、請求項1205記載の方法。
[請求項１２１２]
データを入力する段階が、モジュールが衣類品と係合された後に起こる、請求項1205記載の方法。
[請求項１２１３]
データを入力する段階が、モジュールが衣類品と係合されている間に起こる、請求項1205記載の方法。
[請求項１２１４]
電子デバイスを含む電子モジュールを、運動競技用器具の中または上に設けられたモジュール固定要素と係合させる段階；および
係合させる段階に応答して、モジュールまたはモジュールの少なくとも第1の機能を自動的に起動させる段階
を含む、電子モジュールの起動方法。
[請求項１２１５]
運動競技用器具が、モジュールまたはモジュールの第1の機能を起動させるための起動システムの少なくとも第1の部分を含む、請求項1214記載の方法。
[請求項１２１６]
モジュールが、モジュールまたはモジュールの少なくとも第1の機能を起動させるための起動システムの少なくとも第1の部分を含む、請求項1214記載の方法。
[請求項１２１７]
起動させる段階が、磁気センサシステムからの出力に応答して起こる、請求項1214記載の方法。
[請求項１２１８]
磁気センサシステムの第1の部分が運動競技用器具に含まれており、磁気センサシステムの第2の部分がモジュールに含まれている、請求項1217記載の方法。
[請求項１２１９]
モジュールがモジュール固定要素と係合されている間に、無線方式でモジュールにデータを入力する段階をさらに含む、請求項1214記載の方法。
[請求項１２２０]
データが、少なくとも部分的には、磁気パルスを介して入力される、請求項1219記載の方法。
[請求項１２２１]
モジュールまたはモジュールの少なくとも第1の機能を自動的に停止させる、モジュール固定要素からモジュールを外す段階をさらに含む、請求項1214記載の方法。
[請求項１２２２]
電子デバイスが、運動競技用器具の使用に付随する少なくとも1つの身体的特性を検知する検知要素を含む、請求項1214記載の方法。
[請求項１２２３]
電子デバイスを含む電子モジュールを、第1の方向性で運動競技用器具の中または上に設けられたモジュール固定要素と係合させる段階；および
第1の方向性が予め定められた起動の方向性に対応する場合、モジュールまたはモジュールの少なくとも第1の機能を起動させる段階
を含む、電子モジュールの起動方法。
[請求項１２２４]
第1の方向性が予め定められた起動の方向性に対応している、請求項1223記載の方法。
[請求項１２２５]
モジュールまたはモジュールの少なくとも第1の機能を停止させる、モジュール固定要素からモジュールを外す段階をさらに含む、請求項1224記載の方法。
[請求項１２２６]
外す段階の後、第1の方向性とは異なる第2の方向性でモジュールとモジュール固定要素を係合させる段階をさらに含む、請求項1225記載の方法。
[請求項１２２７]
第2の方向性が予め定められた起動の方向性に対応しない場合、モジュールまたはモジュールの少なくとも第1の機能が停止されるかまたは停止状態にとどまる、請求項1226記載の方法。
[請求項１２２８]
第1の方向性が予め定められた起動の方向性に対応する場合、係合させる段階に応答して起動させる段階が自動的に起こる、請求項1223記載の方法。
[請求項１２２９]
第1の方向性が予め定められた起動の方向性に対応しない場合、モジュールまたはモジュールの少なくとも第1の機能を非作動状態に置くかまたは非作動状態に維持する段階をさらに含む、請求項1223記載の方法。
[請求項１２３０]
第1の方向性が予め定められた起動の方向性に対応するか否かを検知する段階であって、第1の方向性が予め定められた起動の方向性に対応するものとして検知された場合、起動が起こり、第1の方向性が予め定められた起動の方向性に対応しないものとして検知された場合、起動が起こらない段階をさらに含む、請求項1223記載の方法。
[請求項１２３１]
運動競技用器具が、モジュールまたはモジュールの第1の機能を起動させるための起動システムの少なくとも第1の部分を含む、請求項1223記載の方法。
[請求項１２３２]
モジュールが、モジュールまたはモジュールの少なくとも第1の機能を起動させるための起動システムの少なくとも第1の部分を含む、請求項1223記載の方法。
[請求項１２３３]
起動させる段階が磁気センサシステムからの出力に応答して起こる、請求項1223記載の方法。
[請求項１２３４]
モジュール固定要素が、電子モジュールを取り外し可能に収容するための運動競技用器具の上または中に画定されたレセプタクルを含む、請求項1223記載の方法。
[請求項１２３５]
電子デバイスが、運動競技用器具の使用に付随する少なくとも1つの身体的特性を検知する検知要素を含む、請求項1223記載の方法。
[請求項１２３６]
電子デバイスを含む電子モジュールを、運動競技用器具の中または上に設けられたモジュール固定要素と係合させる段階；
モジュールと運動競技用器具の相互操作が認可されているか否かを決定する段階；および
モジュールと運動競技用器具の相互操作が認可されていることが決定された場合、モジュールまたはモジュールの少なくとも第1の機能を起動させる段階
を含む、電子モジュールの起動方法。
[請求項１２３７]
決定する段階が、モジュールが第1の方向性でモジュール固定要素と係合されているか否かを決定する段階を含む、請求項1236記載の方法。
[請求項１２３８]
モジュールが、第1の方向性以外の方向性でモジュール固定要素と係合されていることが決定された場合、モジュールまたはモジュールの少なくとも第1の機能を停止させる段階をさらに含む、請求項1237記載の方法。
[請求項１２３９]
モジュールが、第1の方向性以外の方向性でモジュール固定要素と係合されていることが決定された場合、モジュールまたはモジュールの少なくとも第1の機能を非作動状態に維持する段階をさらに含む、請求項1237記載の方法。
[請求項１２４０]
モジュールと運動競技用器具の相互操作が認可されていないことが決定された場合、モジュールまたはモジュールの少なくとも第1の機能を停止させる段階をさらに含む、請求項1236記載の方法。
[請求項１２４１]
モジュールと運動競技用器具の相互操作が認可されていないことが決定された場合、モジュールまたはモジュールの少なくとも第1の機能を非作動状態に維持する段階をさらに含む、請求項1236記載の方法。
[請求項１２４２]
決定する段階が磁気センサシステムからの出力に応答して起こる、請求項1236記載の方法。
[請求項１２４３]
モジュール固定要素が、モジュールを取り外し可能に収容するための運動競技用器具の上または中に画定されたレセプタクルを含む、請求項1236記載の方法。
[請求項１２４４]
決定する段階が、第1の磁石により生成された磁場を検知する段階を含む、請求項1236記載の方法。
[請求項１２４５]
決定する段階が、第1の磁石がモジュール固定要素と係合されているモジュールとの関係において予め定められた方式で方向づけされているか否かを決定する段階を含む、請求項1244記載の方法。
[請求項１２４６]
決定する段階が、第1の磁石がモジュール固定要素と係合されているモジュールとの関係において予め定められた場所で方向づけされているか否かを決定する段階を含む、請求項1244記載の方法。
[請求項１２４７]
決定する段階が、第1の磁石が少なくとも閾値強度を有するか否かを決定する段階を含む、請求項1244記載の方法。
[請求項１２４８]
決定する段階が、第1の磁石が予め定められた範囲内の強度を有するか否かを決定する段階を含む、請求項1244記載の方法。
[請求項１２４９]
決定する段階が、複数の磁石により生成される磁場を検知する段階を含む、請求項1236記載の方法。
[請求項１２５０]
決定する段階が、磁石がモジュール固定要素と係合されているモジュールとの関係において予め定められた方式で方向づけされているか否かを決定する段階を含む、請求項1249記載の方法。
[請求項１２５１]
決定する段階が、磁石がモジュール固定要素と係合されているモジュールとの関係において予め定められた場所で方向づけされているか否かを決定する段階を含む、請求項1249記載の方法。
[請求項１２５２]
決定する段階が、複数の磁石が少なくとも予め定められた複合磁場強度を生成するか否かを決定する段階を含む、請求項1249記載の方法。
[請求項１２５３]
決定する段階が、複数の磁石が予め定められた範囲内の複合磁場強度を生成するか否かを決定する段階を含む、請求項1249記載の方法。
[請求項１２５４]
電子デバイスが、運動競技用器具の使用に付随する少なくとも1つの身体的特性を検知する検知要素を含む、請求項1236記載の方法。
[請求項１２５５]
運動競技用器具とモジュールを取り外し可能に係合させるための構造を含む、第1のモジュール固定要素を運動競技用器具の中または上に設ける段階；および
モジュールが第1のモジュール固定要素と係合されている場合、少なくとも部分的には、検出可能な変化を誘発するように作動する、第1の相互作用システムを運動競技用器具の中または上に設ける段階
を含む、運動競技用器具システムの生産方法。
[請求項１２５６]
第1のモジュール固定要素が、少なくとも部分的に運動競技用器具の上または中に画定されているレセプタクルを含む、請求項1255記載の方法。
[請求項１２５７]
第1の相互作用システムが、第1のモジュール固定要素に近接して運動競技用器具の中または上に設けられた第1の磁石を含む、請求項1255記載の方法。
[請求項１２５８]
第1のモジュール固定要素とは独立しておりかつ運動競技用器具とモジュールを取り外し可能に係合させるための構造を含む、第2のモジュール固定要素を運動競技用器具の中または上に設ける段階をさらに含む、請求項1255記載の方法。
[請求項１２５９]
モジュールが第2のモジュール固定要素と係合されている場合、少なくとも部分的には、モジュールにおいて検出可能な変化を誘発するように作動する第2の相互作用システムを運動競技用器具の中または上に設ける段階をさらに含む、請求項1258記載の方法。
[請求項１２６０]
電子デバイスを含むモジュールを、運動競技用器具の中または上に設けられたモジュール固定要素と係合させる段階；
モジュールが係合されている運動競技用器具中の場所または運動競技用器具のタイプを決定する段階；および
決定された運動競技用器具の場所またはタイプに基づいてデータ処理アルゴリズムを選択する段階
を含む、データ処理アルゴリズム選択方法。
[請求項１２６１]
運動競技用器具がモジュール起動システムを含み、決定する段階がモジュール起動システムとモジュールとの間の相互作用の特性を検知する段階を含み、検知された特性がモジュールと係合されている運動競技用器具のタイプを示す、請求項1260記載の方法。
[請求項１２６２]
モジュール起動システムが磁石を含み、モジュールが磁気センサを含む、請求項1261記載の方法。
[請求項１２６３]
運動競技用器具のタイプが、少なくとも部分的には、磁気センサにより測定される磁石の強度に基づいて示される、請求項1262記載の方法。
[請求項１２６４]
運動競技用器具のタイプが、少なくとも部分的には、磁気センサとの関係における磁石の方向性に基づいて示される、請求項1262記載の方法。
[請求項１２６５]
運動競技用器具のタイプが、少なくとも部分的には、磁気センサとの関係における磁石の位置に基づいて示される、請求項1262記載の方法。
[請求項１２６６]
モジュール起動システムが複数の磁石を含み、モジュールが少なくとも1つの磁気センサを含む、請求項1261記載の方法。
[請求項１２６７]
運動競技用器具のタイプが、少なくとも部分的には、磁気センサにより測定される磁石の複合強度に基づいて示される、請求項1266記載の方法。
[請求項１２６８]
モジュール固定要素が、モジュールを収容するために運動競技用器具内に画定されたレセプタクルを含む、請求項1260記載の方法。
[請求項１２６９]
選択されたデータ処理アルゴリズムを開始する段階をさらに含む、請求項1260記載の方法。
[請求項１２７０]
決定する段階が、磁気センサシステムにより生成された出力に応答して起こる、請求項1260記載の方法。
[請求項１２７１]
決定する段階が、第1の磁石により生成された磁場を検知する段階を含む、請求項1260記載の方法。
[請求項１２７２]
決定する段階が、第1の磁石がモジュール固定要素内のモジュールとの関係において予め定められた方式で方向づけされているか否かを決定する段階を含む、請求項1271記載の方法。
[請求項１２７３]
決定する段階が、第1の磁石がモジュール固定要素内のモジュールとの関係において予め定められた場所で方向づけされているか否かを決定する段階を含む、請求項1271記載の方法。
[請求項１２７４]
決定する段階が、第1の磁石が少なくとも閾値強度を有するか否かを決定する段階を含む、請求項1271記載の方法。
[請求項１２７５]
決定する段階が、第1の磁石が予め定められた範囲内の強度を有するか否かを決定する段階を含む、請求項1271記載の方法。
[請求項１２７６]
決定する段階が、複数の磁石により生成される磁場を検知する段階を含む、請求項1260記載の方法。
[請求項１２７７]
決定する段階が、磁石がモジュール固定要素内のモジュールとの関係において予め定められた方式で方向づけされているか否かを決定する段階を含む、請求項1276記載の方法。
[請求項１２７８]
決定する段階が、磁石がモジュール固定要素内のモジュールとの関係において予め定められた場所で方向づけされているか否かを決定する段階を含む、請求項1276記載の方法。
[請求項１２７９]
決定する段階が、複数の磁石が少なくとも予め定められた複合磁場強度を生成するか否かを決定する段階を含む、請求項1276記載の方法。
[請求項１２８０]
決定する段階が、複数の磁石が予め定められた範囲内の複合磁場強度を生成するか否かを決定する段階を含む、請求項1276記載の方法。
[請求項１２８１]
電子デバイスが、運動競技用器具の使用に付随する少なくとも1つの身体的特性を検知する検知要素を含む、請求項1260記載の方法。
[請求項１２８２]
メモリーおよび運動競技パフォーマンスに付随する少なくとも1つの身体的または生理学的特性を検知するための検知要素を含むモジュールを設ける段階；
無線方式で行なわれ、少なくとも一部分が運動競技パフォーマンスに付随する身体的または生理学的特性を検知要素が検知していない間に行われる、メモリーにデータを入力する段階；および
モジュールを運動競技用器具と係合させる段階
を含む、データ取扱い方法。
[請求項１２８３]
入力する段階が、磁気パルスにモジュールを曝露する段階を含む、請求項1282記載の方法。
[請求項１２８４]
係合させる段階に応答してモジュールまたは検知要素を自動的に起動させる段階をさらに含む、請求項1282記載の方法。
[請求項１２８５]
運動競技用器具と検知要素の相互利用が認可されたか否かを決定する段階をさらに含む、請求項1282記載の方法。
[請求項１２８６]
決定する段階が係合させる段階に応答して自動的に起こる、請求項1285記載の方法。
[請求項１２８７]
モジュールが運動競技用器具と取り外し可能に係合されている、請求項1282記載の方法。
[請求項１２８８]
データを入力する段階が、モジュールを運動競技用器具と係合させる段階に先立って起こる、請求項1282記載の方法。
[請求項１２８９]
データを入力する段階が、モジュールが運動競技用器具と係合された後に起こる、請求項1282記載の方法。
[請求項１２９０]
データを入力する段階が、モジュールが運動競技用器具と係合されている間に起こる、請求項1282記載の方法。
【図面の簡単な説明】
【０００６】
同じ参照番号が全体を通して同じ特徴を表わしている添付図面および以下の記述を参照することによって、本発明およびその少なくとも一部の特徴および利点をより完全に理解できる。
【図１】本発明の局面を実践できるシステムおよび環境例を示す。
【図２】本発明の少なくともいくつかの局面例を実践する上で使用することができる電子モジュール、表示デバイスおよびシステム全体の例の概略図を示す。
【図３】本発明の少なくともいくつかの局面例を実践する上で使用することができる電子モジュール、表示デバイスおよびシステム全体の例の概略図を示す。
【図４】本発明の少なくともいくつかの局面例を実践する上で使用することができる衣料品の例を示す。
【図５】本発明の少なくともいくつかの局面例を実践する上で使用することができる衣料品の例を示す。
【図６】本発明の少なくともいくつかの局面例を実践する上で使用することができる衣料品の例を示す。
【図７】本発明の少なくともいくつかの局面例を実践する上で使用することができる運動競技用器具の例を示す。
【図８】本発明の少なくともいくつかの局面例を実践する上で使用することができる運動競技用器具の例を示す。
【図９】本発明の少なくともいくつかの局面例により使用することができるデータ入力システムおよび方法の例を示す。
【図１０】本発明の少なくともいくつかの局面例により使用することができるデータ入力システムおよび方法の例を示す。
【発明を実施するための形態】
【０００７】
詳細な説明
本発明のさまざまな例についての以下の説明では、本明細書の一部を形成し、本発明を実施することができるさまざまな構造、態様および例を説明図として示す添付図面を参照する。本発明の範囲を逸することなく他の態様を利用し、構造的および機能的変更を加えることができることが理解されよう。
【０００８】
I. 本発明の局面の一般的説明
本発明の局面は一般に、電子モジュールを含む衣類品および／または運動競技用器具に関する。図1で示すように、本発明の一例および本発明の局面を使用できる環境例を一般的に図示しており、衣類100 (Tシャツ、ジャージ等のような胴体被覆用衣服など)に、さまざまな用途向けの一つまたは複数の電子モジュール、例えばパフォーマンス測定モジュール102、他の測定モジュール102または他の用途(例えばデータ送信、データ受信、RFID、ラジオまたは他のオーディオ／ビデオ送受信、GPS送受信等)のモジュール102などを装備することが可能である。モジュール102は、例えばパフォーマンス中(例えば運動競技イベントまたは練習または他のパフォーマンス)に情報を検知するかまたは収集するため、衣類もしくは器具のユーザーまたは他(例えば送受信デバイス、RFIDデバイス等)に情報を提供するため、および／またはもう1つのデバイス(例えば補助加熱システムまたは冷却システム、衝撃減衰システム等)を制御するために一つまたは複数の電子デバイスを含むことができる。任意の所望のまたは適切なタイプの情報を検知し、ユーザーまたは他に提供し、および／または他の方法で使用するかまたは生成することができるが下記のより特定例の情報タイプを含む：ユーザーの走行速度情報；走行距離情報；GPS情報；高度情報；ユーザーの身体的または生理学的情報(例えば心拍数、脈拍数、血圧、体温、EKG情報、EEG情報等)；GPSに由来する情報、速度、距離、高度、身体的、生理学的または他の情報(例えば警告情報、道路情報、地理情報等)；RFID生成情報等。さらにあるいはまたは、モジュール102を使用して、他のデバイスまたは機能を制御しかつ／または他のデバイスにデータを提供することができ、衣類品の一部として、ユーザーの身につけて、ユーザーが携帯して、あるいは他の場所にある、例えば加熱または冷却デバイス、衝撃減衰デバイス、表示デバイス、データ受信デバイス、ユーザーの運動競技用器具の上に搭載されるかまたはその一部として含まれて存在するデバイスが挙げられる。
【０００９】
図1の例に示されているように、ユーザー104が動くにつれて、衣類100に取り付けられているかまたはその中に含まれているモジュール102の中に提供されたデバイスは、衣類の動きおよび／またはその使用に付随する一つまたは複数の身体的または生理学的特性(例えば速度および距離情報、GPS情報、脈拍数、心拍数、血圧、EKG、ならびに／または上記の情報タイプのような)を測定するか、あるいは他の所望の機能を実施する。所望であれば、データを後の使用および／または分析のためにメモリー(例えばモジュール102に含まれる、衣類100内に提供されている、周辺デバイスに提供されているメモリー等)内に記憶することができ、ならびに／あるいはデータを、例えば任意でモジュール102もしくは衣類100の一部として含まれている無線送信デバイス106を介して、ユーザーまたは他に送信することができる。任意に、所望であれば、モジュール102および／または衣類100は、例えば表示、記憶等ためユーザー104もしくは他にデータまたは他の情報を送信する前に、収集したデータの処理を可能にする一つまたは複数のマイクロプロセッサまたは他のデータ処理能力を含むことができる。
【００１０】
データまたは所望の情報を、本発明から逸脱することなく、任意の所望の方法でユーザー104または他に、例えば表示デバイス110が提供された無線受信機108に伝達することができる。任意で、所望であれば、表示デバイス110に、モジュール102または衣類100により送られた生データの初期処理を可能にし、モジュール102または衣類100等により送られるデータおよび／または情報のさらなる処理を可能にするマイクロプロセッサを装備することができる。より特定的な例として、表示デバイス110は、携帯式、ユーザー携行デバイス、例えば腕時計または手首着用デバイス(図1に例示されているようなもの)、PDAタイプのデバイス、携帯電話、MP3もしくは他のオーディオプレイヤ、ヘッド着用表示デバイス、ポケベルタイプのデバイス、ヘッドホンまたはイヤホン等などのさまざまな電子デバイスを含むことができる。任意のタイプの「表示デバイス」、例えばオーディオデバイス、ビデオデバイス、オーディオ／ビデオデバイス、英数字ディスプレー等もまた提供することができる。
【００１１】
同様に、本明細書の以下でより詳細に記述される通り、類似の電子モジュール102を運動競技用器具と共に使用するために提供することができる。該デバイスを使用して、データを収集しかつ／またはユーザーにデータを提供し(例えば運動競技用器具の使用に付随する身体的データ等)、ユーザーにオーディオまたはビデオ情報を提供する等ができる。
【００１２】
これらの一般的な例および使用環境例の一般的記述に照らして、本発明のさまざまな局面例について以下でさらに詳細に記述し、電子モジュールを衣類品または運動競技用器具と係合し得る方式、モジュールおよび／またはモジュールに含まれる電子デバイスを起動しかつ／またはその使用を認証することのできる方式、データ処理アルゴリズムを選択し得る方式、入力データを入力できる方式等に関するさまざまな例の特徴が挙げられる。
【００１３】
A. 自動オン／オフ
本発明の一つの局面は、電子デバイスを含む衣類および／または運動競技用器具システムに関し、例えば衣類品または器具の使用に付随する身体的もしくは生理学的情報、および／または、衣類品を着用しているかまたは器具を使用している間のユーザーのパフォーマンスに付随する身体的もしくは生理学的情報などの情報をユーザー他に提供するデバイスである。本発明の少なくともいくつかの例によると、衣類または運動競技用器具システムは、下記を含み得る：(a) モジュール固定要素を持つ衣類品または運動競技用器具；(b) 電子デバイス(例えば、衣類品または運動競技用器具の使用に付随する少なくとも1つの身体的または生理学的特性(例えば速度および／または距離情報、ジャンプ高さ情報、GPS情報、高度情報、ユーザーの身体的または生理学的情報、ゲーム情報、スウィング速度情報、ボール速度情報等)を検知する検知要素))を含む、モジュール固定要素と取り外し可能に係合されているモジュール；ならびに (c) モジュールがモジュール固定要素と係合されているか否かを検知し、モジュールがモジュール固定要素と係合されていることが決定された場合、モジュールまたはモジュールの少なくとも第1の機能(例えば電子デバイスまたはその一部分もしくは機能等)を起動させる起動システム。所望であれば、起動システムの少なくとも第1の部分が衣類品または運動競技用器具に含まれているか、および／またはそれの一部として含まれていてよく、起動システムの第2の部分はモジュールにに含まれているか、および／またはその一部として含まれていてよい。起動システムの第1の部分は、少なくとも衣類品または運動競技用器具が使用中である場合、それがモジュール固定要素に近接して位置するような位置で衣類品または運動競技用器具の中または上に提供されていてよい。
【００１４】
本発明の少なくともいくつかの例において、モジュールまたはその少なくともいくつかの機能は、例えば、モジュールがモジュール固定要素において係合されている場合は常に、および／またはモジュールがモジュール固定要素に位置している事が検出された場合は常に、自動的に開始されるかまたは使用可能であり得る。モジュールがモジュール固定要素に位置するか否かに関する決定、および／またはモジュール固定要素におけるモジュールの検出は、本発明から逸脱することなく、任意の適切なまたは所望の方式で行うことができる。例えば、起動システムは、モジュールがモジュール固定要素に含まれるまたはモジュール固定要素と係合されている場合、出力を生成する、磁気センサシステム、圧電システム、加速度計、光センサ等を含み得る。起動システムが、ホールセンサシステムなどの磁気センサを含む場合、磁気センサシステムの第1の部分(例えば磁石、磁気センサ等)は、衣類品または運動競技用器具に含まれることができ、磁気センサシステムの第2の部分(例えば磁気センサ、磁石等)はモジュールに含まれることができる。他の例において、所望であれば、モジュールまたは衣類品または運動競技用器具のいずれかは供給源とセンサの両方を含んでいてよいが、モジュールがモジュール固定要素と係合された場合、検知された磁気特性の変化または中断された光線が検知され得る。該システムの少なくともいくつかの例において、衣類品または運動競技用器具とモジュールの各々が起動システムの対応する部分を含んでいないおよび／または検知された特性内の予め定められた相互作用または変化を誘発しない場合、モジュールは起動されずかつ／または無効化され、かつ／またはモジュールのさまざまな機能が起動されずかつ／または無効化される。モジュールおよび／またはモジュールの機能の起動の例について以下でさまざまな図と関連づけてより詳細に記述する。
【００１５】
モジュールは、本発明から逸脱することなく任意の所望の方式で衣類品または運動競技用器具に固定することができ、例えば、モジュール固定要素が本発明から逸脱することなく任意の所望の形態をとることができる。本発明の少なくともいくつかの例において、モジュールは衣類品または運動競技用器具に取り外し可能に固定され、所望であれば例えばモジュールは容易にそこから取り外しできるようになっている。いくつかののより特定的な例として、モジュール固定要素は、モジュールを収容することのできる衣類品または運動競技用器具内またはその上に形成されたポケット、溝またはスロットの形態をとり得る。モジュールはまた、機械的コネクタ、例えばストラップ、フラップ、面ファスナー、スナップ、フック、留め金、クランプ、他の機械的締め具、支え壁または要素、張力接続金具、戻り止め、ばね荷重等を介して、任意の所望の方式で、本発明から逸脱することなく衣類品または運動競技用器具に保持され得る。
【００１６】
本発明の少なくともいくつかの例において、モジュールまたはモジュールの少なくともいくつかの機能は、例えば、モジュールがモジュール固定要素において係合されている場合は常に、および／またはモジュールがモジュール固定要素において検出された場合は常に自動的に開始されるかまたは有効化され得る。しかしながら、本発明の他の局面によると、モジュールおよび／またはモジュールのさまざまな機能の起動はさらにもう少し選択的であり得る。本発明のもう一つの局面例は、下記を含む衣類または運動競技用器具システムに関する：(a) モジュール固定要素を持つ衣類品または運動競技用器具；(b) 電子デバイス(例えば、衣類品または運動競技用器具の使用に付随する少なくとも1つの身体的または生理学的情報を検知する検知要素)を含む、モジュール固定要素に取り外し可能に係合されているモジュール；ならびに(c) モジュールがモジュール固定要素と第1の方向性で係合されているか否かを検知し、モジュールがモジュール固定要素と第1の方向性で係合されていることが決定された場合、モジュールまたはモジュールの少なくとも第1の機能(例えば電子デバイスまたは電子デバイスの一部分または機能等)を起動させる、起動システム。該システムの少なくともいくつかの例において、モジュールが第1の方向性以外の方式(例えば予め定められた起動方向性以外)でモジュール固定要素と係合されている場合、モジュールは、切断され得、停止され得、無効化され得、オン切換え得ず、および／または起動され得ず、ならびに／あるいはモジュールのさまざまな機能が切断され得、停止され得、無効化され得、オン切換え得ず、および／または起動され得ない。
【００１７】
本発明のこれらの例の特徴を使用して、モジュールおよび／または該モジュールのさまざまな機能をオンおよびオフに容易に切換えることができる。いくつかのより特定的な例としては、モジュールが第1の方向性でモジュール固定要素と係合されている場合、このことがモジュールをオン切換えし、および／または該モジュールのさまざまな機能を起動させる。モジュール固定要素からのモジュールの取り外し、その反転、その回転等、そして次にそれとモジュール固定要素との再係合は、例えば上記のように磁気センサまたは他の検出器システムによって検出され得、これらの変化は、モジュールを予め定められた起動の方向性以外の方向性に置く。これらの方向性の変化に応答して(および／または、モジュールが予め定められた起動方向性以外の方向性でモジュール固定要素と係合されている場合は常に)、モジュールは切断され得、かつ／またはモジュールのさまざまな機能が切断、無効化等され得る。この例の特徴を使用して、バッテリの寿命を延長し；飛行機での旅行、病院内使用および／または他の送受信に敏感な場所における使用等のためにモジュールの送受信能力(該当する場合)をシャットダウンすることができる。該システムの少なくともいくつかの例において、衣類品もしくは運動競技用器具およびモジュールのそれぞれが起動システムの対応する部分を含んでいない、ならびに／またはそうでなければ予想される相互作用および／もしくは検出された相互作用の変化を誘発しない場合、モジュールは起動されずかつ／または無効化され、ならびに／あるいはモジュールのさまざまな機能は起動されずかつ／または無効化される。
【００１８】
上記のように、起動システムのさまざまな部分を、衣類品または運動競技用器具および／またはモジュールに含ませてよく、上記のようにさまざまなタイプの起動システム、センサシステム、固定要素、固定方法等を、本発明のこの局面から逸脱することなく使用することができる。また、例えば上記のように衣類または運動競技用器具に含まれるシステムの部分のさまざまな装備(例えばモジュール、起動システム、検知要素等)を、本発明のこの局面から逸脱することなく使用することができる。
【００１９】
本発明のさらなる局面は、電子モジュールを起動させる方法、例えば身体的または生理学的データを収集するために、例えば練習中、トレーニング中、運動競技パフォーマンス中、運動競技用器具の使用中等に関する。該方法には、例えば下記の段階が含まれ得る：(a) 電子モジュールを、衣類品または運動競技用器具の中または上に提供されたモジュール固定要素と係合させる(例えば任意で簡単に取り外し可能な方式で)段階であって、該モジュールが電子デバイス(例えば衣類または運動競技用器具の使用に付随する少なくとも1つの身体的または生理学的特性を検知する検知要素)を含む、段階；および(b) 係合に応答してモジュールまたはモジュールの少なくとも第1の機能を自動的に起動させる段階。任意で、起動手順の一部として、起動は、モジュールがモジュール固定要素との関係において予め定められた起動の方向性で方向づけされた場合にのみ起こる。
【００２０】
該方法において、上記のように、起動システムをモジュールおよび／または衣類品または運動競技用器具のうちの少なくとも1つに付随させることができ、そしてこの起動システムは、モジュールがモジュール固定要素で係合されている場合、および／またはモジュールが予め定められた起動の方向性で方向づけされているか否かを検知し得る。モジュールがモジュール固定要素と係合されている場合(任意で適切な起動の方向性で係合されている場合)、モジュールをオン切換えおよび／または起動させることができ、ならびに／あるいはモジュールのさまざまな機能をオン切換えおよび／または起動させることができる。モジュールがモジュール固定要素と係合されない場合、モジュールがモジュール固定要素から取り外されている場合、および／またはモジュールが予め定められた起動の方向性以外の方式でモジュール固定要素との関係において方向づけされている場合、モジュールはオフ切換えまたは停止され得、ならびに／あるいはモジュールのさまざまな機能はオフ切換えまたは停止され得る(任意で予め定められた時間の経過後に)。
【００２１】
本発明の少なくともいくつかの例による方法において、起動システムのさまざまな部分が衣類品もしくは運動競技用器具および／またはモジュールに含まれていてよく、上記のようにさまざまなタイプの起動システム、センサシステム、固定要素、固定方法等を使用することができる。また、上記のもののような、要素(例えばモジュール、起動システム、検知要素等)のさまざまな装備を、本発明による方法局面のこれらの例を実践するために使用することができる。また、所望であれば、本発明の少なくともいくつかの方法例により、モジュールおよび／またはモジュールさまざまな機能を、オフ切換えまたは停止させるために、モジュール固定要素との関係におけるモジュールの再方向づけ (例えば反転、回転等)を用いることもできる。
【００２２】
B. 認証特徴
本発明のさらなる局面は、付随するモジュールが作動する前のいくつかのタイプの認証システムを含む衣類または運動競技用器具システムに関する。このようにして、モジュールは、任意の衣類品または運動競技用器具とは作動せず、予め定められた認証必要条件を満たすものとのみ作動する。該衣類または運動競技用器具システムは例えば下記を含み得る：(a) モジュール固定要素を有する衣類品または運動競技用器具；(b) 電子デバイス(例えば衣類品または運動競技用器具の使用に付随する少なくとも1つの身体的または生理学的特性を検知する検知要素)を含む、モジュール固定要素と取り外し可能に係合されているモジュール；ならびに (c) 衣類または運動競技用器具とモジュールの相互操作が認可されているか否かを決定する認証システム。ひとたび起動されたならば、モジュールおよびモジュールに含まれている電子デバイスは、任意の所望の機能、例えばラジオまたは他のオーディオ／ビデオ通信機能、データ送信および／または受信機能、身体的または生理学的能力測定および／または監視機能(例えば速度および／または距離の検知、ジャンプ高さ検知、心拍数または脈拍数の検知、血圧検知等)、GPS情報提供機能、高度測定機能、衝撃減衰制御機能、RFIDまたは他のデータ送信および／または受信機能、加熱または冷却機能等を実施することができる。
【００２３】
本発明から逸脱することなく、任意のタイプの認証システムを使用することができる。例えば、本発明のこの局面の少なくともいくつかの例において、認証システムの第1の部分が衣類品または運動競技用器具に含まれていてよく、認証システムの第2の部分がモジュールに含まれていてよい。いくつかのよりさらなる特定的な例としては、先の節で記載されているシステムのうちの少なくとも一部を、基本的認証システムを提供するものとみなすことができる。例えば、上記のように、一部のシステム例は、モジュールが作動する前および／またはそれが所望のデータを提供する前に、モジュール固定要素との関係において予め定められた方式でモジュールを方向づけすることを必要とするであろう。他の例において、モジュールおよび衣類品または運動競技用器具は共に、起動システムの一部分を必ず収容し、ならびに／あるいはそうでなければ、モジュールおよび／またはモジュールの機能の少なくともいくつかが起動される前に、予め定められた相互作用または検知された条件の変化をひき起こさなければならない。したがって、これらの例において、モジュールは任意の衣類または運動競技用器具とは動作せず、必要とされた起動(または認証)システムの少なくとも対応する部分を含む衣類および運動競技用器具とのみ、ならびに／あるいは予め定められた相互作用および／または検知された相互作用またはパラメータの変化をひき起こす衣類または運動競技用器具とのみ動作する。
【００２４】
本発明から逸脱することなく、さまざまなタイプのシステム、例えば磁気センサシステム、圧電センサシステム、加速度計、光(または他の放射線)センサシステム等を、認証のために使用することができる。より特定的な例として、光または磁気センサシステムの第1の部分(例えば磁石、磁気センサ、光源、光検出器等)を衣類品または運動競技用器具に含めることができ、センサシステムの第2の補完的部分(例えば磁気センサ、磁石、光センサ、光源等)をモジュールに含めることができ、ならびに／あるいは、これらの要素間の特定的方向性が、モジュールのオン切換え、起動および／または使用有効化の前に必要とされ得る。さらなる例としては、磁極方向性、磁気センサにおける磁場強度(例えば少なくとも閾値強度、予め定められた範囲内の強度等)、磁気センサにおける磁場の方向、検出された光の波長、検出された光のパターン、検出された光の向き、検出された光の強度等を、モジュール／衣類またはモジュール／運動競技用器具の組合せを認証するのに必要な情報の一部として(例えば、衣類品または運動競技用器具とモジュールの相互操作が認可されているか否かを決定するため)使用することができる。なおさらなる例としては、衣類品または運動競技用器具またはモジュールは、多数の磁石または光源を含んでいてよく、ならびに全磁極方向性情報、磁石の場所情報、磁気センサにおける複合磁場強度(例えば少なくとも複合閾値強度、予め定められた範囲内の複合強度等)、磁気センサにおける複合磁場方向、検出された光の波長、パターン、方向、強度等を、モジュール／衣類またはモジュール／運動競技用器具の組合せを認証するのに必要な情報の一部(例えば、衣類品または運動競技用器具とモジュールの相互操作が認可されているか否かを決定するため)として使用することができる。本発明から逸脱することなく、さまざまな異なるタイプの認証システムの組合せも使用することができる。
【００２５】
本発明のさらなる局面は、認証段階および／または認証システムの使用を含む電子モジュールを起動させるための方法(例えば、練習、トレーニング、運動競技パフォーマンス、運動競技用器具の使用の間の、または他の機能または目的のために身体的または生理学的データを収集するため)に関する。該方法は例えば下記の段階を含み得る：(a) 衣類品または運動競技用器具の中または上に提供されたモジュール固定要素と係合させる段階であって、該モジュールが電子デバイス(例えば衣類品または運動競技用器具の使用に付随する少なくとも1つの身体的または生理学的特性を検知する検知要素)を含む、段階；(b) モジュールと衣類品または運動競技用器具が相互操作することを認可されているか否かを決定する段階；ならびに (c) モジュールと衣類品または運動競技用器具が相互操作することが認可されることが決定した場合、モジュールまたはモジュールの少なくとも第1の機能を起動させる段階。当然、モジュールおよび／またはモジュールの少なくともいくつかの機能(例えば電子デバイスまたはその一部分または機能)は、モジュールおよび衣類品または運動競技用器具の相互利用が認可されない場合、ならびに／あるいはモジュールがモジュール固定要素から外された場合、オフ切換え、オフのまま、停止、無効化、停止状態保持、無効化状態保持等され得る。本発明から逸脱することなく、上記のように、これらの方法において、例えば一つまたは複数の磁石および磁気センサ、相対的な磁石／センサの位置づけおよび方向性、磁場強度、磁場の方向、一つまたは複数の光源およびセンサ、光パターン、光強度、光波長等の使用を含め、認証情報を提供するさまざまなやり方を使用することができる。
【００２６】
C. アルゴリズム選択特徴
モジュールとその起動システムの間の相互作用を、他の目的にも使用することができる。例えば、本発明の少なくともいくつかの局面例によると、モジュールとその起動システムの間の相互作用に関する特徴を使用して、例えばモジュールに含まれているセンサが検知し、収集しかつ／または生成したデータを処理するために、どのデータ処理アルゴリズムを使用すべきかについての情報を提供することができる。本発明のこれらの局面例の少なくともいくつかによる衣類または運動競技用器具システムは、下記を含み得る：(a) モジュール固定要素を含む衣類品または運動競技用器具；(b) 少なくとも一部分が衣類品または運動競技用器具に含まれているモジュール起動システム；ならびに (c) モジュール固定要素と取り外し可能に係合されているモジュールであって、電子デバイス(例えば衣類品または運動競技用器具の使用に付随する少なくとも1つの身体的または生理学的特性を検知する検知要素)を含み、およびモジュール起動システムとの該モジュールの相互作用がモジュールに対しデータ処理アルゴリズム選択情報を提供している、モジュール。
【００２７】
モジュールとモジュール起動システムの間の相互作用を変更または制御するさまざまなやり方を、本発明から逸脱することなく使用できる。例えば、モジュール起動システムが磁気ベースのセンサシステムを含む場合、モジュールとモジュール起動システムの間の相互作用の局面は、例えば、磁気センサ要素との関係における一つまたは複数の磁石の方向性、位置、場所、磁場方向性および／または磁極方向性を変更すること；磁石のうちの一つまたは複数のものの強度を変更すること等により変更または制御可能である。本発明の例によるシステムおよび方法により、異なる方向性、位置、場所、磁場方向性、磁極方向性、強度、複合磁場強度、複合磁場方向性などを検知することができ、データが収集された場合、使用するデータ処理アルゴニズムを制御しおよび／または選択するための情報としてそれらを使用できる。当然、光源および光センサ(または他の検出システム)を使用することができ、ならびに検出された光(または他のパラメータ)に関するさまざまな特性を使用して、使用のためのデータ処理アルゴニズムを制御しおよび／または選択することができる。本発明から逸脱することなく、さまざまな異なるセンサおよび／または検出されたパラメータの組合せを使用することもできる。
【００２８】
さらにより特定的な例として、異なる方向性、位置、場所、磁場方向性、磁極方向性、磁気強度、複合磁場強度、複合磁場方向性、光の位置、光の波長、透過／反射光および／またはパターン、光の強度等を本発明の例によるシステムおよび方法により検知することができ、それらを使用して、例えばモジュールが係合される衣類または器具のタイプ、モジュールが係合される衣類品または運動競技用器具上の場所等を示すことができる。このとき、ひとたび衣類または器具のタイプまたは衣類または器具上の場所が決定されたならば、モジュールを制御(例えばマイクロプロセッサにより)して、特定のタイプのデータ処理アルゴリズムを開始して、および／または表示された衣類または器具のタイプまたは衣類または器具上の場所に付随する特定のタイプのデータおよび情報を検知することができる。
【００２９】
なおより特定な例として、特定の製造者により生産された各々の衣類品または運動競技用器具は、モジュール起動システムの一部として磁石または光源(または他の要素)を含んでいてよく、モジュールが係合される衣類または運動競技用器具のタイプに依存して、モジュールに含まれている異なるセンサが起動され、異なるデータアルゴリズムが実行され、および／または異なる情報がユーザーに提示され得る。例えばバスケットボール用ジャージの場合、N極を上にして衣類の中に磁石を配置するかまたは波長Aの光をジャージの中に含み入れることができ、この磁極方向性または光波長がモジュールに含まれている適切なセンサにより検知された場合、モジュールを制御してジャンプの高さ情報、速度情報等を収集し、この情報をユーザーのディスプレイ(または他)に提供することができる。一方、ゴルフ用シャツ、半ズボンまたはズボンの場合、この同じ製造者は、つねにS極が上になるように磁石を配置するかまたは異なる波長の光源を使用するようにすることができる。したがって、モジュールに含まれているセンサによりこの他の磁極方向性または光波長が検知されると、モジュールを制御して、歩数計ベースの速度および／または距離情報を生成し、この情報をユーザーのディスプレイ(または他)に提供することができる。本発明から逸脱することなく、この方式 (例えばさまざまな異なる起動条件を検知することにより)で、多様な異なる検知要素およびアルゴリズムを、多様な異なるタイプの衣類または運動競技用器具で使用するために起動させることができる。
【００３０】
さらなるより特定的な例として、特定の製造者により生産された個々の衣類品または運動競技用器具が、複数のモジュール固定要素(例えば脚の高い所に1つ、脚の低い所に1つ等)を含み得る。センサシステムを有効化して、モジュールが係合される衣類品または運動競技用器具上の場所(下部脚部域にS極を上にして、上部脚部域でN極を上にして等)を決定するために、これらの異なるモジュール固定要素の各々と異なる磁石の配置または条件(または光源または他の起動システム要素または条件)を結びつけることができる。任意で、衣類品または運動競技用器具上の各々のモジュール固定要素は、独自の独立した付随する磁石または他のモジュール起動システムを有していてよく、または代替的に、所望であれば、1つの起動システムのいくつかの部分を複数のモジュール固定要素で(例えばさまざまなモジュール固定要素の場所等で距離、方向、方向性、強度等を変動させることにより)共有することもできる。衣類品または運動競技用器具内のどのモジュール固定要素がユーザーにより利用されているものとして検知されるかに依存して、異なるセンサをモジュール内で起動させ、異なるデータアルゴリズムを実行させ、および／または異なる情報をユーザー(または他)に提示することができる。
【００３１】
本発明のこの局面の例はまた、例えば上記のもののようなデータアルゴリズム選択能力を持つシステムを用いて、起動のためにデータ処理アルゴリズムを選択する方法にも関する。該方法は、例えば下記段階を含み得る：(a) 電子デバイス(例えば衣類品または運動競技用器具の使用に付随する少なくとも1つの身体的または生理学的特性を検知する検知要素)を含むモジュールを、衣類品または運動競技用器具の中または上に提供されたモジュール固定要素と係合させる段階；(b) モジュールが係合されている衣類品または運動競技用器具の中の場所あるいは衣類または運動競技用器具のタイプを決定する段階；ならびに (c) 衣類または器具の決定された場所またはタイプに基づいてデータ処理アルゴリズムを選択するおよび／または開始する段階。上記のように、モジュール起動システムのさまざまな特徴および／またはモジュールとのその相互作用を使用して、該方法における衣類または器具のタイプまたはモジュールの場所の情報、例えば磁石または光源の方向性、磁石または光源の位置、磁石または光源の場所、磁極の方向性、磁石または光の強度、磁石または光源の検出された条件の変更等を提供することができる。
【００３２】
D. データ入力特徴
本発明のなおさらなる局面は、電子モジュール用のデータ入力特徴、例えば衣類品または運動競技用器具と共に使用するための、身体的または生理学的パフォーマンス監視システムに付随するモジュールなどに関する。該システムは、例えば下記を含み得る：(a) ハウジング、(b) 例えば、運動競技パフォーマンスに付随する少なくとも1つの身体的または生理学的特性を表示する情報(例えば速度および／または距離の情報、GPS情報、高度情報、ジャンプ高さ情報、ユーザーの身体的または生理学的情報等)を検知するための、ハウジングの内部または上に少なくとも部分的には提供されている検知要素または他の電子モジュール；(c) 入力データを、例えば無線方式で受信するため、少なくとも部分的にはハウジングの内部または上に提供されたデータ入力システム；ならびに(d) ハウジングが係合されている(任意で容易に取り外し可能に)衣類品または運動競技用器具。データ入力システムは、電子モジュールに含まれている検知要素が運動競技パフォーマンスに付随する身体的または生理学的特性を検知していない時(例えば衣類品または運動競技用器具等の中に取り付けられているが、販売場所において、レースまたはイベント登録場所において)など、少なくとも電子モジュールが他の機能を実施していない時に入力データを受信する能力を有し得る。本発明の少なくともいくつかの例によるデータ入力システムは、検知要素を利用して入力データを受信することができる。
【００３３】
データ入力システムは、本発明から逸脱することなくさまざまなやり方で入力データを受信することができる。本発明の少なくともいくつかの例によると、データ入力システムは、入力データを、少なくとも部分的には、無線方式で、例えば電磁パルスを介して、光パルス等を介して、受信することができる。該データ入力システムは、例えば、上記の任意のさまざまな衣類または運動競技用器具システムおよび方法で提供され得る。
【００３４】
本発明のこの局面のまたさらなる例は、例えば上記のような、任意でデータ入力システムを用いるデータ取扱い方法に関する。該方法は、例えば下記段階を含み得る：(a) モジュールの中または上に検知要素または他の電子デバイスを提供する段階(例えば、所望であれば、検知要素または他の電子デバイスは、運動競技パフォーマンスに付随する少なくとも1つの身体的または生理学的特性を検知するかまたは他の所望の機能を実施することができる)；および (b) 無線方式で行われる、モジュール内に提供されたメモリー内にデータを入力する段階。入力は、例えば、少なくとも電子モジュールに含まれている検知要素が、運動競技パフォーマンスに付随する身体的または生理学的特性を検知していない間(例えば衣類品または運動競技用器具等の中に取り付けられているが、販売場所、レースまたはイベント登録場所において)に起こる。本発明の少なくともいくつかの例において、検知要素を使用して入力データを受信することができる。本発明のこの局面による方法の例はさらに、衣類品または運動競技用器具とモジュールを係合させる段階(簡単に取り外し可能な方式で)を含み得る。データ入力段階は、モジュールと衣類または運動競技用器具を係合させる前、少なくとも1回モジュールが衣類品または運動競技用器具と係合された後で、モジュールが衣類品または運動競技用器具と係合されている間、および／または任意の他の所望の場合、起こり得る。データはまた、上記のように、電磁または光パルスを介して入力されてよい。
【００３５】
E. 衣類品または運動競技用器具
本発明のなおさらなる局面は、上記のもののようなシステムおよび方法において使用するための衣類および運動競技用器具構造ならびに該衣類および運動競技用器具構造の製造方法に関する。本発明の少なくともいくつかの例による衣類および運動競技用器具構造は下記を含み得る：(a) 衣服部材または運動競技用器具；(b) 衣服部材または運動競技用器具に含まれている第1のモジュール固定要素であって、少なくとも1つの電子デバイス(例えば衣服部材または運動競技用器具の使用に付随する少なくとも1つの身体的または生理学的特性を検知するためのセンサ)を含むモジュールを取り外し可能に係合するための構造を含む、第1のモジュール固定要素が；および (c) 衣服部材または運動競技用器具に含まれている相互作用システムであって、相互作用を生成し、かつモジュールが第1のモジュール固定要素内に存在する場合、モジュールと相互作用する、相互作用システム。本発明の少なくともいくつかの例によると、相互作用システムの少なくとも一部分は、少なくとも衣類品または運動競技用器具が使用中である場合、モジュール固定要素に近接して位置するように提供され得る。
【００３６】
衣類品または運動競技用器具内に提供される相互作用システムは、上記のように、磁石および／または磁気センサを含むことができる。当然、本発明から逸脱することなく多様な他の相互作用システム、例えば光または他の放射線源、光または放射線検出器、圧力生成要素、圧力センサ、加速度計、接点部材等などを使用することができる。本発明の少なくともいくつかの例において、相互作用システムは、測定されたパラメータの変化を誘発し、および／またはさもなければ、モジュールがモジュール固定要素で取り付けられている場合、衣類品または運動競技用器具またはモジュールに含まれているセンサにより検出可能ないくつかの特性の変化または相互作用を誘発する。
【００３７】
さらに、上記のように、衣類品または運動競技用器具は、本発明から逸脱することなく複数のモジュール固定要素および／または複数の相互作用システムを含み得る。所望であれば、本発明から逸脱することなく、各々の個々のモジュール固定要素が別々の相互作用システムを有すること、多数のモジュール固定要素が単一の相互作用システムおよび／またはその一部分を共有すること、ならびに／あるいは、個々の衣類品または運動競技用器具上の全てのモジュール固定要素が単一の相互作用システム等を共有することが可能である。所望であれば、モジュールが係合されているモジュール固定要素に依存して、異なるセンサおよび／またはデータ処理アルゴリズムを起動することができる。
【００３８】
本発明のこの局面例による方法は、例えば上記のタイプの相互作用システムを伴う衣類品または運動競技用器具を生産する方法を含む。該方法には、例えば下記段階が含まれ得る：(a) 衣服部材または運動競技用器具とモジュールを取り外し可能に係合するための構造を含む第1のモジュール固定要素を、衣服部材または運動競技用器具の中または上に提供する段階；および (b) 第1の相互作用システムを衣服部材または運動競技用器具の中または上に提供する段階であって、該第1の相互作用システムが少なくとも部分的には、モジュールと第1のモジュール固定要素が係合されている場合、モジュールにおいて検出可能な変化または相互作用を誘発するように作動する段階。上記のように、所望であれば、複数のモジュール固定要素および／または相互作用システムを提供することができ、異なるモジュール固定要素のために異なるセンサおよび／またはデータ処理アルゴリズムを起動させることができる。
【００３９】
II. 発明の特定の実施例
先に本発明の局面が一般的に記述されてきたが、以下では、本発明によるシステムおよび方法のより詳細で特定的な例が提供されている。当然、当業者であれば、以下の記述が本発明の例の記述を構成し、いかなる形であれ本発明を制限するものとしてみなされるべきものではないということを理解するはずである。
【００４０】
上記のように、図1は、パフォーマンス測定または他の電子モジュール102が衣類品100(または運動競技用器具)に装備されている本発明の一例および使用環境例を全体的に示している。モジュール102は、パフォーマンス中(例えば練習、運動競技イベント、運動競技用器具の使用または他のパフォーマンス活動の間)に情報を検知または収集するための検出器または検知デバイスを含み得る。モジュール102または衣類100(または運動競技用器具)はさらに、ユーザー104に情報を提供するための処理能力、配線および／または送信能力(例えば無線送信デバイス106および無線受信機デバイス108等)を含み得る。任意の所望のタイプの情報を検知しかつ／またはユーザー104に提供することができるが、情報タイプのさらに特定的な例としては、ユーザーの走行速度情報；走行距離情報；GPS情報；高度情報；ジャンプ高さ情報；ユーザーの身体的または生理学的情報(例えば脈拍数、心拍数、体温、血圧、EKGデータ、EEGデータ等)；GPS、速度、距離、身体的、生理学的由来情報、または他の情報(例えば警告情報、道路情報、地理情報等)；衝撃力および／または方向等がある。さらなる例としては、センサではなくむしろ、電子モジュール102は、任意の所望の機能、例えばRFID、ラジオ、オーディオ、ビデオまたは他のデータもしくは情報の送信および／または受信などを実施し得る。データおよび情報は、腕時計または手首着用表示デバイス、PDAタイプのデバイス、携帯電話、MP3または他のオーディオプレイヤ、ヘッド着用表示デバイス、ポケベルタイプのデバイス等などの、表示デバイス110を介して(例えば無線受信機108を通して)ユーザー104に提示可能である。あるいはまた付加的には、所望であれば、検知された情報または他の情報を使用して、ユーザー104に対しその情報を提供するかまたは提供せずに、衣類100(または運動競技用器具)自体の特徴を変更または制御するため(例えば加熱および／または冷却の局面を制御するため、衝撃減衰デバイス等の特徴を制御するため)、あるいは他のデバイスを変更または制御することができる。
【００４１】
図2は、図1に示されているような衣類品100内および／または運動競技用器具(本明細書中以下でより詳細に記述されるように)内で使用するために、モジュール102内に含み入れることのできる要素例を図式的に示している。図2は一般的に、モジュール102が電源を含み得ることを示し、該モジュールが、バッテリ(例えば充電式バッテリ等)、太陽電池、および／または別のタイプの電源のうちの一つまたは複数のものを構成し得る。電源は、以下で詳述するように本発明によるシステムおよび方法の少なくともいくつかの例において起動または認証システムの一部として使用できる磁気センサ要素などの、モジュール102内に含むことのできる他の要素を作動させるための電力を供給する。当然、上記のように、光源／センサ、圧電素子等など、他のタイプの起動および認証システムを、本発明から逸脱することなく使用することができる。電源はまた、任意の電子デバイスまたはセンサ、処理システム、データ送信システム106、メモリー等など、モジュールの他の要素に対し電力を供給することもできる。
【００４２】
磁気センサは、例えば一つまたは複数のマイクロプロセッサデバイスなどの処理システムに対し、磁場強度、磁場の方向、磁石の場所、磁石の磁極方向性、磁石源の数、磁気源の位置づけ等などの磁気センサにより検出される磁場の一つまたは複数の特性を表示する情報などの信号情報を提供し得る。認証システムの一部として使用される場合、またさらには起動システムの一部として使用される場合、マイクロプロセッサは、磁気センサからの入データを処理し、モジュール102が衣類または運動競技用器具の中および／または使用に適したまたは認可された位置または方向性で位置しているか否かを決定し、それを行なうことが適切である場合、一つまたは複数の電子デバイス(例えばモジュール102の一部として任意に含まれている検知用デバイス等)を選択的に作動させる(例えば、モジュール102が適切に方向づけされ、それが取り付けられた衣類または運動競技用器具と共に使用する認可を受けていることをマイクロプロセッサが決定した場合、電子デバイスをオン切換えし、その操作を有効化し、および／またはそれを起動させ、ならびに／あるいは、モジュール102が使用のために適切に方向づけされておらずおよび／またはそれが取り付けられた衣類または運動競技用器具と共に使用する認可を受けていないことをマイクロプロセッサが決定した場合、電子デバイスをオフ切換えし、その操作を無効化し、かつ／またはそれを停止する)。電子デバイスは、上記のように、衣類または運動競技用器具の使用に付随する身体的または生理学的データなどの任意の所望のタイプの情報を検知し、収集しかつ／または提供することができる。付加的にまたは代替的には、電子デバイスは、データ、オーディオ信号、ラジオ信号、ビデオ信号を送信または受信し、RFID情報または他のデータ等を送信することができる。任意で、少なくともいくつかのシステム例において、起動および／または認証を目的として使用される磁気センサはまた、本発明から逸脱することなく、身体的および／または生理学的データ検知デバイスとしても機能できる(例えば、ホールセンサ要素として用いられる、歩数計ベースの速度および／または距離情報を提供するために用いられる、衝撃減衰要素制御等を提供するために用いられる)。一つまたは複数のLED 112 (または他のインジケータ)を使用して、モジュール102が、いつ適切に方向づけされ、オン切換えされ、データを受信し、シャットダウンされているか等を表示することができる。
【００４３】
例えば電子デバイスにより収集されたデータなどのデータを記憶するためのメモリーを提供することができる。収集された(任意で記憶された)データは、任意でマイクロプロセッサ内でのさらなる処理に付されおよび／または、この構造例ではモジュール102と共に提供される無線送信要素106を介して、上記のように他の処理デバイスまたは周辺表示デバイスに送られることができる。当然、有線および無線接続を含む任意の所望のタイプのデータ送信機構およびシステムを、本発明から逸脱することなく使用することができる。付加的にはまたは代替的には、所望であれば、電子デバイスからのデータ、さらにはマイクロプロセッサによりさらに処理されたデータを、さらなる処理が行なわれ得る周辺デバイスに送ることおよび／またはユーザーに表示するために周辺デバイスに送ることができる(例えば、表示デバイス110は、任意で、ユーザー等に情報を表示する前に、他の外部データもしくは情報と組合せた後またはそれと共に使用した後でさらにデータを処理する別の処理システムと併せて作動することができる)。任意の適切なまたは所望の処理が、本発明から逸脱することなく、モジュール102、表示デバイス110および／または任意の他の所望の処理デバイス(図示せず)の上で起こり得る。
【００４４】
当然、図2は、衣類品または運動競技用器具と係合するためにモジュール102上に含むことのできるいくつかのデバイスおよび要素を示しているにすぎない。図2中に示されている一つまたは複数の要素は、本発明から逸脱することなく、電源、メモリー、マイクロプロセッサ、送信システム106、磁気センサの少なくとも一部分および／または電子デバイス等など、モジュール102ではなく衣類または運動競技用器具構造の一部として含むことができる。モジュール102以外の場所にさまざまな要素が提供されている場合、モジュール102との電気的接続および／または他の通信は、必要な場合、電線、コンタクトパッド、コンタクトピン、無線接続等を介してなどの任意の所望の方式で起こり得る。
【００４５】
図3は、電子モジュール102と図1に例示されているデバイス110などの対応する表示デバイスの間の相互作用を示す概略図を示している。図3に示されているように、図2のモジュール102は、この例では無線接続(例えばモジュール102上の無線送信デバイス106からこの例では表示デバイス110の一部として提供されている無線受信デバイス108まで)を介して、表示デバイス110に所望のデータを送信する。ひとたび受信されると、表示デバイス110と共に提供されたマイクロプロセッサがこのデータをさらに処理することができ、必要であればその後、信号を提供し、表示デバイス(例えばオーディオ、ビデオ、英数字ディスプレー等)を起動しおよび／または制御して、所望の情報を表示することができる。上記のように、本発明から逸脱することなく任意の所望の形態または書式で任意の所望のタイプの情報をユーザーに提供することができる。図3にさらに示されているように、表示デバイス110はさらに、下記のうちの一つまたは複数を含み得る：ユーザー入力デバイス(ボタン、キー、デジタイザー、およびスタイラスペン、マウス等)；電源；およびメモリー。所望であれば、本発明の局面は、従来の表示デバイス、例えば腕時計または手首装着用表示デバイス、PDAタイプのデバイス、携帯電話、MP3、または他のオーディオプレイヤ、ヘッド装着用表示デバイス、ポケベルタイプのデバイス等と共に実践することができる。または、所望であれば、モジュール102は、データをパーソナルコンピュータ、サーバー等に提供して、例えば収集されたデータのさらなる処理(例えばイベント後のデータ分析、多数のパフォーマンスまたはイベントにわたる収集データの記憶および目録作成等)を有効化することができる。
【００４６】
図4は、Tシャツまたはジャージタイプの衣服などの衣類品100に固定される電子モジュール102の例を一般的に図示している。図4に示されているように、この構造例100において、衣類品100の前方部分は、電子デバイス（例えば図1〜3に例示されているタイプのモジュール102などの、衣類品100の使用中に行なわれる活動に付随する身体的または生理学的特性を測定するための電子デバイス）を含む、モジュールを収容し固定するために内部に画定されたモジュール固定要素120を有している。モジュール固定要素120は、本発明から逸脱することなく、数多くの異なるサイズ、形状および形態をとり得るものの、この構造例100では、モジュール固定要素120は、図4に矢印122で図示されているように内部にモジュール102を滑り込ませることのできる衣服構造100の中または上に画定されたポケットまたはポーチの形をとる。所望かまたは必要である場合、モジュール固定要素120は、開口部、コネクタまたは他の構造を含み得、例えば心拍数、血圧、体温、EKGデータなどの生理学的データを提供するためにモジュール102の少なくとも一部分がユーザーの身体に接続されかつ／またはユーザーの皮膚に直接露呈され得る。
【００４７】
モジュール固定要素120内にひとたび挿入されたならば、必要または所望であれば、モジュール102をさらに衣類品100に固定することができる。例えば、所望であれば、モジュール102を挿入するポケット120またはポーチの開口部は、この開口部をカバーしそれによりポケット120内および衣類品100にモジュール102を固定するために折畳むことのできる付随のカバーまたはフラップ構造を含み得る。フラップまたはカバーは、必要または所望であれば、例えば磁気係合、面ファスナー、スナップ締め具、バックル、フックまたは他の固定要素を介して、ポケット120内でモジュール102をさらに一層しっかりと保持するため、さらに固定することができる。当然、本発明から逸脱することなく、ポケット120内部および／または衣類品100に対しモジュール102を固定する他のやり方、例えば支え壁または要素、戻り止め、ネジ込み装置、ばね式装置、クランプ、留め金、他の機械的コネクタ、接着剤等を使用することもできる。なおさらなる例としては、所望であれば、例えばメモリーカードをそれぞれのスロット(例えばデジタルカメラ、レコーダ等の中の)内に挿入し内部に取り付ける方式で、ポケット120内、衣服108内および／またはモジュール102上に、これらの部材を直接(および任意で解除可能な形で)相互に取り付けるための構造を提供することができる。任意で、所望であれば、例えば関与する他の構造がポケット120内および／または衣服100の上でモジュール102を所定の場所に適切に保持できる場合、外部の破片および／または要素からのモジュール102の保護が問題とならない場合等には、いかなるカバーもフラップも必要ではない。
【００４８】
図4は、モジュール102および／またはモジュール102の一つまたは複数の機能を起動させるため(例えば身体的または生理学的データの収集、検知、検出、データ送信等を起動させるため)に使用可能な衣類システムの例の特徴をさらに図示している。具体的には、図4は、衣類構造100の一部分が内部に一つまたは複数の磁石124を含むことができるということを図示している。この構造例100中で磁気センサを含むモジュール102 (図2〜3を参照)がポケット120内に挿入された場合、磁気センサは、磁石124が生成する磁場を検知し、このときモジュール102に搭載された磁気センサは信号をモジュール102に搭載されたマイクロプロセッサに送ることができ、このマイクロプロセッサは、さらに適切な信号を送り、モジュール102のさまざまな要素および／または機能を起動させること (例えば検知デバイスまたは他の電子デバイスを起動させるため、送受信システム106を起動させるため、RFIDシステム等を起動させるため) ができる。
【００４９】
もう1つの特定的な例として、所望であれば、磁石124およびモジュール102に搭載された磁気センサは、磁石124とモジュール102上の磁気センサの間の相対的な動きを検出することのできるホールセンサシステムを構成し得る。モジュール102を開口部130内へ挿入中、モジュール102上の磁気センサと磁石124の間の相対運動を検出することができ、例えばまず最初にモジュール102上で電力を供給しかつ／またはモジュール102のさまざまな機能を起動させる。この方式で、ユーザーによるさらなる行動の必要がなく、しかもモジュール102と衣類品100との間の電気的接触の必要性もなく、モジュール102が衣類品100内に挿入された場合、モジュール102は直ちに自動的に電源オンされ得る。または、所望であれば、モジュール102を最初にオン切換えするには他の段階が関与し得る(例えばオン／オフスイッチでのユーザー相互作用等)。
【００５０】
各々のステップおよび／またはジャンプ着地(例えばモジュール102がズボンの脚部、ソックス内等に取り付けられたとした場合)の間に動きを検出できるのであれば、磁気センサ／磁気システムをまた身体的または生理学的検知デバイスの少なくとも一部分として使用して、例えば歩数計タイプの速度および／または距離情報、ジャンプ高さ検知情報等を提供することができる。上記のように、モジュール102により収集されたデータを、ユーザーまたは別のものに対する表示のため例えば無線接続を介して表示デバイス110または他の処理システムに送ることができる。
【００５１】
図4に示されている構造例100は、他の潜在的に有用な機能および特性を有する。例えば磁石124およびモジュール102に搭載された磁気センサは、自動的切断要素としても使用できる。より具体的には、例えば、磁気センサシステムが予め定められた時間内に動きを検出しなかった場合(例えば、磁石124とモジュール102に搭載されたセンサの間の相対運動が5分間全くないなど)、モジュール102 (または他の場所)に搭載されたマイクロプロセッサは、例えばバッテリの寿命を保存するために、モジュール102上のさまざまなデバイスおよび／または要素をシャットダウンするための信号を送るようにプログラミングされ適合され得る。当然、他のタイプの検出システム、例えば動き検出器、光検出器(例えば断続または移動光線等)、加速度計等を使用して、衣類品の使用が続いているか否かを決定することができる。所望であれば、マイクロプロセッサはまた、モジュール102がポケット120から取出された場合、任意で予め定められた時間的遅延の後、例えば磁気センサシステムまたは他の検出システムにより生成された信号に応答して、モジュール102および／またはモジュール102の少なくとも一部の機能を自動的にシャットダウンするようにプログラミングされ適合されることができる。
【００５２】
本発明から逸脱することなく、モジュール102および／またはモジュール102のさまざま機能をオンおよびオフに切換えるさまざまなやり方を提供することができる。例えば、モジュール102は、例えば上記のように磁気センサシステムまたは他の所望の「オン／オフ」切換え機構を用いて、衣類品内で第1の方向性に(例えば図4に示されているようにこの例では「上面を上にした」方向性に)方向づけされた場合、オン切換かつ／または作動され得るように設計可能である。しかしながら、ユーザーがモジュール102をポケット120から取出し、それをポケット120内でそのもとの「起動」の方向性に対応しないもう1つの方式で再方向づけした(「上面を下にした」方向性、回転させた方向性、裏返した方向性等)場合、これは、モジュール102またはその少なくとも一部の機能をオフ切換えするかまたは停止すべきであるという表示をマイクロプロセッサに提供することができる。磁極方向性の切換え(例えばN極を上からS極を上へ等)を使用してモジュール102の再方向性の表示もできる(例えば磁石がモジュール102等に搭載されている場合)。モジュール102のこのような再方向性に応えて、マイクロプロセッサはこのとき、モジュール102またはそのさまざまな機能をシャットダウンさせるための適切な信号を送ることができる(例えば、LED112 (図2参照)が数回点滅してモジュール102がシャットダウンしつつあることを表示し、次にシャットダウン手順が完了した時にオフに切換わることができる等)。この例の特徴は、ユーザーがモジュール102のオン／オフ機能を容易にかつ選択的に制御する能力、例えば、送信かつ／もしくは受信機能が禁止されているかまたは潜在的に危険である飛行機での旅行、病院でおよび／または他の場所においてユーザーがモジュール102 (または少なくともその送信かつ／もしくは受信機能または他の機能)を容易にシャットダウンさせることを可能にすること、バッテリ寿命を保存すること等を付与する。当然、本発明から逸脱することなく、モジュール102を再方向づけする任意のやり方を用いることができる。この特徴は、容易かつ便利なオン／オフ切換えを提供し、またユーザーがモジュール102を紛失することを防止し(常にモジュールをポケット120内に保管できるようにすることで)および／または該モジュールの使用が必要でないかまたは望まれていない時にその電力が失われることを防止する一助ともなる。代替的にはまたは付加的に、所望であれば、本発明から逸脱することなく、モジュール102をオンおよびオフに切換える他のやり方、例えばオン／オフスイッチを組み入れること、モジュール102をその電源から切ること(例えば、電源がモジュール102から独立している場合 (例えば衣類品、運動競技用器具等の一部分として組み入れられている)電気接続を遮断する)を用いることもできる。
【００５３】
図1〜4に関連して先に記載したさまざまなシステム例のうちの少なくともいくつかは、これらのシステムのうちの少なくともいくつかにおいて衣類品100とモジュール102の両方が相互作用要素を有しおよび／または何らかの方式で相互作用してモジュール102および／またはその機能の少なくともいくつか(例えば衣類品100内の磁石124およびモジュール102内の磁気センサ、またはその逆)を起動させることから、基本的な「認証システム」を含むものとみなすことができる。当然、本発明から逸脱することなく、より精巧な「認証システム」を提供することもできる。例えば、所望であれば、モジュール102上の磁気センサを使用して磁石124により出力された磁場に関するさらなる情報を検出し、検出された磁場情報が一定の予め定められたパラメータまたは基準に合致する場合にのみ、モジュール102および／またはそのさまざまな機能を起動させるようにモジュール102上のマイクロプロセッサをプログラミングし適合させることができる。例えば、モジュール102に搭載された磁気センサが磁場強度を測定または決定することが可能な場合、検知された磁場強度が一定の限界レベルに合致する場合にのみ、および／または、検知された磁場強度が一定の範囲内に入る場合にのみ、モジュール102および／またはモジュール102のさまざまな機能を起動させるようにモジュールのマイクロプロセッサをプログラミングしおよび適合させることができる。このようにして、モジュール102は、任意のタイプの衣類またはその中に単純な磁石を伴う任意のタイプの衣類と共に使用することはできず、むしろ、モジュールのマイクロプロセッサの中に設定された認証パラメータに整合する起動システムまたは認証システムを有する衣類品とのみ使用可能である。当然、多様な他のパラメータ、例えば磁場の方向性、磁場の向き、磁極の方向性、磁石の数、磁石とセンサの間の距離等を、本発明から逸脱することなく、起動および／または認証の目的のため測定し閾値または予め定められた認可済み範囲の値と比較することができる。付加的にまたは代替的に、光源および光検出器などの他の供給源とセンサの組み合わせを本発明から逸脱することなく使用でき、「認証用」情報は、例えば光線の方向、光源の数、光源と検出器の間の距離、光源波長、遮断されたおよび透過された光の予め定められたパターン(例えばモジュールにより遮断された光および／またはモジュールを通して透過された光等)、入射光角度、光の反射方向または特性等の形を取り得る。また、所望であれば、供給源およびセンサ(例えば磁石、光、放射線等)を両方共、モジュールまたは衣類品のうちの一つの上に単独で取り付けてよく、モジュールと衣類品の間の相互作用を使用して、検知された情報を変更する(例えば光を遮断して、光を透過して、磁場を遮断して、磁場を変更して、光束を分離して、光線方向を変更して等)ことができる。このとき、この情報を認証目的で使用することができる。
【００５４】
任意で、所望であれば、特定の衣類品に付したモジュール102を起動しかつ／または使用を有効化させるのに必要な認証情報は、工場にて製造者により、販売場所にて小売業者により、自宅で消費者により、および／またはサプライチェーン内の他の任意の適切なまたは所望の場所でおよび／または衣類品の使用中に設定可能である。
【００５５】
図5は、図4に関連して先に記載した一般的な方法で、モジュール102をその中に取り付けたモジュール固定要素502を伴う別の例の衣類品500を図示している(当然、本発明から逸脱することなく任意の所望のタイプのモジュール固定要素およびモジュールを使用することができる)。このシステム例において、衣類品500は、ベルト、ヘアーバンド、スエットバンド、リストバンド部等のループまたは環を形成しており、この衣類品500は、腕、手首、頭、脚、ウエスト、胸等などのユーザーの身体504の任意の所望の部分に取り付けることができる。衣類品500の材料506は、広範囲のサイズ全体にわたり快適なフィット感を可能にすること等の目的で、柔軟かつ／または伸縮性ある材料であってよい。代替的には、所望であれば、衣類品500は、バックル、フック、スナップ、面ファスナー、クランプ、留め金、接着剤等などの一つまたは複数の締め具装備を用いてループまたは環を作り出す細長い一片の形をしていてよい。当然、本発明から逸脱することなく、先で記載されたタイプの一つまたは複数のモジュールを任意のタイプの衣類品500に提供することができる。衣類品の例としては、シャツ、ジャージ、Tシャツ、タンクトップ、チューブトップ、ズボン、半ズボン、スウェットパンツ、水着、レオタード、スポーツ専用衣類、ベルト、ヘッドバンド、リストバンド、スエットバンド、ソックス、下着、帽子、サンバイザー、メガネ、ジャケット、コート等が含まれるが、これらに限定されるわけではない。図5に示されているように、モジュール102は、例えば先で記載されている方式で、モジュール固定要素502内に解除可能な形で係合され得、それは表示デバイス110または他の処理システムに、例えば同じく上記の方式で信号を提供し得る。
【００５６】
この図示された例において、磁石510は、モジュール固定要素502に近接して配置されており、この磁石510は、上記の方式で、モジュール(例えばモジュールに含まれている電子デバイスまたは検知要素)を起動するため、使用中モジュールを活動状態に維持するため、オン／オフ切換えのため、認証のため等に使用され得る。当然、本発明から逸脱することなく任意の数の磁石または磁石配置を使用することができる。2つ(またはそれ以上)の磁石(例えば、図4の構造例中に示されているような)の使用は、起動および／または認証目的のために利用可能な情報に影響を及ぼしこれを増大させ得る。例えば、起動および／または認証のために用いられるさまざまな磁石の強度および／または配置を制御することにより、磁気センサで測定された多様な異なる複合磁気強度、磁気センサで測定された複合磁場方向、磁極方向性、磁石数、センサとの関係における磁石の位置、互いの関係における磁石の位置等を生成することができ、この情報を起動および／または認証目的で使用することができる。ここでもまた、モジュールに含まれているマイクロプロセッサ(または別の適切な場所にあるマイクロプロセッサ)は、モジュール(例えばパフォーマンス検知要素(例えば身体的パフォーマンスおよび／または衣類品または運動競技用器具の使用に付随する身体的または生理学的検知特性)またはモジュール内に含まれた他の電子デバイス)の起動を、予め定められた閾値、パラメータまたは特性に合致する磁石または他の認証要素(例えば光または他の放射線源等)を有するモジュール固定要素内にモジュールが位置している場合に制限することができる。
【００５７】
また、所望であれば、異なるタイプのセンサを組み合わせておよびさまざまな異なるタイプのセンサを組み合わせて、本発明から逸脱することなく起動および／または認証の目的で使用することができ、例えば磁気源およびセンサ要素と光源およびセンサ要素の組み合わせ、任意で認証目的での予め定められた閾値を満たすかまたは予め定められた範囲内に入る一つまたは複数の特性を持つ該源のいずれかとまたは両方との組合せなどである。上記の記述から容易に理解できるように、本発明から逸脱することなく、認証目的で任意の数のセンサおよび異なるセンサタイプの任意の組合せを用いることができる。
【００５８】
図6は、本発明の少なくともいくつかの例によるシステムおよび方法の中に含まれ得るさらなる例の特徴を図示している。図6は、少なくとも1つのモジュール102を含む衣類品600を示し、例えば衣類品600の使用および／または該衣類品を着用している間に行われる活動に付随する身体的または生理学的特性を測定するために示す。この構造例では、衣類品600は、2つの独立したモジュール固定要素620(a)および620(b)を含み、その1つ(620(a))は、図4に関連して一般的に先に記載されているように、ジャージ600の胸中央部域内に位置し、他の1つ(620(b))は、衣類品600の下部前方側に提供されている。この構造例600では、それぞれ各々のモジュール固定要素620(a)および620(b)について別々の起動／認証システム610(a)および610(b)が提供されている。この図示された例において、起動／認証システム610(a)および610(b)は、モジュール102に搭載された磁気センサと相互作用する磁石の形態をとる。しかしながら、本発明から逸脱することなく、上記のようにさまざまな異なるタイプの起動システムおよび／または認証システムを提供でき、さまざまな異なるパラメータを測定して認証および起動のために目的で使用することができる。
【００５９】
所望であれば、本発明から逸脱することなく、所与の衣類品または運動競技用器具上のモジュール固定要素の全てと共に使用するため、単一の起動／認証システムを提供することができる。さらに別の代替案として、所望であれば、本発明から逸脱することなく、単一の衣類品または運動競技用器具上の2つまたはそれ以上のモジュール固定要素が単一の起動／認証システムの少なくともいくつかの部分(例えば磁石、光源等)を共有し得る。
【００６０】
図6の衣類品例600はまた、本発明の少なくともいくつかの例により利用可能でありうるさらなる潜在的特徴を図示する助けとなる。より具体的には、衣類品600上に提供された個々の起動／認証システムの異なるタイプおよび／またはそれらについての特性を提供することによって、処理システム(任意でモジュール102に搭載されたマイクロプロセッサ)は、起動／認証システムにより生成される信号に基づいて、衣類品600上のどこにモジュール102が位置しているかを決定することができる。例えば、モジュール固定要素620(a)に付随する磁石610(a)は、モジュール102(および／またはモジュール102に搭載された磁気センサ)との関係において第1の複合強度、磁極方向性、または他の特徴を有していてよく、一方モジュール固定要素620(b)に付随する磁石610(b)は、モジュール102との関係において異なる強度、磁極方向性または他の特徴を有し得る。磁気センサ(または他の起動／認証システム要素)がこのデータをマイクロプロセッサに提供した場合、マイクロプロセッサはこの情報を用いて、モジュール102が位置している特定のモジュール固定要素(例えばこの例では620(a)または620(b))を決定することができる。なおさらなる選択肢として、所望であれば、マイクロプロセッサは、衣類品600の内部での決定されたモジュール102の場所(例えばモジュール固定場所620(a)または620(b))に基づいて、特定のタイプのセンサを起動することできおよび／またはそうでなければ特定のタイプのデータ処理アルゴリズムを起動し、開始し、または利用することができる。
【００６１】
一部のより特定的な例が以下に続く。例えば、衣類品600および／またはモジュール102は、モジュール102を長距離ランニングまたはジョギングの間に使用するために胸部域のモジュール固定要素620(a)の中に置くように設計されたように、設計されプログラミングされることができる。このモジュール102設置情報(例えば検出された磁気強度、磁極方向性、光線中断、光線波長等に基づいて決定され得る)を、マイクロプロセッサによって使用して、例えばGPSベースのセンサ要素および／またはEKGセンサ要素および／またはデータ処理アルゴリズムを起動して、GPSベースの速度、距離、経過時間、高度、EKG、心拍数、血圧、体温および／または他の所望の情報をユーザーに提供する(例えば上記のように表示デバイスに対する無線送信を介して)ことができる。他方では、ウォーキングまたは類似のタイプの運動(例えばゴルフプレイ、海浜でのウォーキング、トレッドミルのウォーキング等)の間に使用するため下側ベースのモジュール固定要素620(b)の中にモジュール102が設置されるように、衣類品600および／またはモジュール102を設計しプログラミングすることができ、この設置情報(例えば磁気強度、磁極方向性、光線中断、光線波長等に基づく)を、マイクロプロセッサにより使用し、例えば歩数計に基づく速度および距離監視システムおよび／またはデータ処理アルゴリズムを起動して、歩数計ベースの速度および距離情報をユーザーに提供する(例えば、上記のような表示デバイスへの無線送信を介して)ことができる。当然、他のモジュール固定要素の設置および他の設置に関する情報を使用して、本発明から逸脱することなくさらに他のセンサおよび／または他のデータ処理アルゴリズムを起動 (例えばジャンプ高さセンサ、速度センサ、加速度計等を起動させる、および／またはデータ処理アルゴリズムを起動させてこのタイプのデータを検知しかつ／または使用しかつ／または(例えば無線送信等を介して)それをユーザーに送る)させことができる。
【００６２】
任意で、所望であれば、本発明から逸脱することなく、ユーザーは、多数のモジュール固定要素(例えば620(a)、620(b)等)の中に同時に取り付けられた多数のモジュール102と共に、衣類品600を使用することができる。このような状況において、モジュール102に付随する検知デバイスまたは他の電子デバイスにより生成された身体的、生理学的および／または他のデータは、ユーザーに任意の所望の方式で一つまたは複数の表示デバイス上で、例えば各モジュール102に専用の個々の表示デバイス上で、予め定められたアルゴリズムにより単一の表示デバイス上で(例えば反復的で変化する方式で)、ユーザーの要求に基づいて単一の表示デバイス上で表示され得る。または、所望であれば、衣類システム600は、所定の時間、1つのモジュール102のみの操作をまたは1つのモジュール102のみとの操作を許可するように設計することができる。
【００６３】
選択的電子デバイス起動および／またはデータ処理アルゴリズム選択の上記の例は、異なるタイプの衣類品および／または運動競技用器具が関与する状況に拡大され得る。図4と5との比較が、1つの例を図示している。衣類製造者は、1つのタイプの起動／認証特性を持つ1つのタイプの衣類品、および異なる起動／認証特性を持つ別のタイプの衣類品を設計することができる。より特定的な例として、衣類400の中に取り付けられた時、モジュール102の底面で方向づけされた2つの磁石124 (または他の起動システム)を伴う起動／認証システムを有するように、衣類製造者は1つのスポーツ向けの自社のジャージ400の全てを生産することができ、これらの磁石124は、1組の特性を持つ磁場を生成する(図4に示されているように)。この同じ製造者は、異なる1組の特性を有する1つの磁石510 (または他の起動システム)を伴う起動／認証システムを有するように、全てのベルトタイプの衣類品500を生産することができる(例えば図5に示されているような)。当然、先に記載したさまざまな特性例のうちの任意のものを、本発明から逸脱することなく、起動および／または認証を目的としてならびに／あるいは1つのモジュール固定要素場所を別のモジュール固定要素場所と区別するために使用することができる(例えば、磁場方向性、磁極方向性、センサとの関係における磁石の方向づけ、磁石の数、互いとの関係における磁石の場所、光の波長、光の強さ、光源の数、光の透過／反射／遮断特性、光束分離特性、入射光角度等)。この方式で、単に衣類品内部にモジュール102を設置することにより、モジュール102 (または他の適切な場所)に搭載されたセンサは、起動／認証情報および特性を検出することができ、それはマイクロプロセッサに情報を送ることができ、モジュール102に付随するマイクロプロセッサは、モジュール102が中に取り付けられる衣類品のタイプ(これらの例では400または500)を決定することができる。衣類品のタイプ情報をまた、マイクロプロセッサによって使用して、どのセンサまたは他の電子デバイスを起動するかを決定しおよび／または、そうでなければ例えば図6に関連して先で記載された方式でどのデータ処理アルゴリズムを実行するかを決定することができる(例えばランニング用衣類と共に使用するためのGPSベースの情報を収集し表示すること、対、ゴルフまたは他の衣類のための歩数計ベースの情報を収集し表示すること、対、バスケットボール衣類のためにジャンプ高さ情報を収集し表示すること、対、サイクリング指向の情報を収集し表示すること、対、ゲーム目的(例えば電子ゲーム、ビデオゲーム、身体的活動が関与するゲーム等)のためにアルゴリズムを実行し、情報を収集し表示すること等)。
【００６４】
しかしながら、本発明のこれらの局面は、モジュール102が衣類品と係合されている適用分野に限定されるものではない。むしろ、本発明の少なくともいくつかの例によるモジュール102は、運動競技用器具に取り付けることができ、同じオン／オフ切換え、起動、認証、場所識別、器具タイプ識別および／またはデータアルゴリズム選択特徴を、運動競技用器具に適用することができる。図7は、システム例700を図示し、ここで、電子モジュール102は自転車のフレーム702に取りつけることができ、例えば締め具またはコネクタ構造等を介して、電子モジュール102が提供されているクリップまたはクランプ要素を介して、フレーム702上に提供されているレセプタクル(receptacle)704に取りつけることができる。自転車の車輪706が回転するにつれて、各回転はモジュール102により検出され(例えば車輪フレーム上に取り付けられた磁石、反射部材708などを検出することにより)、任意でタイミング情報と組合わされたこの回転情報を速度および／または距離情報に変換して、上記の方式で例えば無線または他の接続を介して表示デバイス110に送ることができる。表示デバイス110は、上記のように、ユーザーが持っていてもよいし、自転車上に位置してもよいし、遠隔に位置する等でもよい。この例において自転車フレーム702上に同じく取り付けられている磁石710(a)および710(b)を、図1〜6に関連して先で記載された通り、モジュールオン／オフ切換え、起動、認証等のために使用することができる。任意で、所望であれば、要素708を、オン／オフ切換え、起動、認証等のために、任意で、単独でまたは要素710(a)および／または710(b)と組み合わせて使用することができる。
【００６５】
図8は、上記のタイプの電子モジュール102と共に働くように設計され得る別の運動競技用器具例800を例示している。この構造例800において、運動競技用器具は、ゴルフクラブ802であり、電子モジュール102を解除可能な形で収容するためクラブヘッド806内に画定されたスロット804を含む。フラップ、支え壁または要素、戻り止め、ばね構造、クリップ、クランプ、留め金、機械的締め具、接着剤等を含めたクラブヘッド806、シャフト等にモジュール102を固定する任意の方式を、本発明から逸脱することなく使用することができる。所望であれば、モジュール102は、解除可能な方式でスロット804内に固定され得、例えば、PCMCIAカードまたはメモリーカードが電子デバイス(例えばデジタルカメラ、レコーダ、ラップトップ等)の中に取り付けられるやり方に類似した方式で固定できる。当然、モジュール102はまた、本発明から逸脱することなく、ゴルフクラブ802上の任意の所望の位置に位置されることもできる。
【００６６】
モジュール102は、搭載されたさまざまなセンサを含み、クラブヘッド速度、スイング速度、初打球速度、ボールrpm、ボールスピンデータ、スイング面、衝撃力または衝撃方向等の多様なデータを検出することができる。
【００６７】
また、上記のように、モジュール起動／認証システム808を、例えば少なくとも運動競技用器具(例えばこの例においてクラブヘッド806)の中または上に提供することもできる。モジュール起動／認証システム808は、本発明から逸脱することなく上記のように、磁石および磁気センサ、光源および光センサ等の形をとることができる。
【００６８】
また、図7および8のモジュール起動／認証システム710(a)、710(b)および808の比較から明らかであるように、認証／起動システムの特徴(例えば、異なる方向性、位置、場所、磁場方向性、磁極方向性、磁気強度、複合磁場強度、複合磁場方向性、光の位置、光の波長、透過／反射光および／またはパターン、光の強さ等)を本発明の例によるシステムおよび方法により検知でき、例えばモジュール102が係合されている器具のタイプ、モジュールが係合されている器具の場所等を表示するために使用することができる。このとき、器具のタイプまたは器具上の場所がひとたび決定されると、モジュール102は、制御され (例えばマイクロプロセッサにより)、表示された器具のタイプまたは器具上の場所等に付随する特定のセンサを起動させかつ／またはこれに付随する特定のタイプのデータ処理アルゴリズムを開始させることができる。また、所望であれば、同じモジュール102を衣類または運動競技用器具内で使用できるように起動および／または認証システムを提供することができ、異なる潜在的起動／認証配置を提供して、モジュールが衣類または器具内に位置しているか否か、衣類または器具のタイプおよび／または場所を自動的に決定し、この情報を選択的センサおよび／またはデータ処理アルゴリズム起動のために使用することができる。
【００６９】
当然、本発明の局面を利用して、広範囲の異なるタイプの運動競技用器具の上に電子モジュールを提供することができる(例えばさまざまな異なる身体的特性を検知するため、さまざまな情報タイプを提供するため)。適切な器具タイプの例としては、ゴルフクラブ；ゴルフクラブヘッド；自転車およびサイクリング器具；サイクリングマシンまたは他のエアロバイク；スキー、スキー用衣類およびスキー用器具；スケートボードおよびスケートボード用器具；野球用グローブおよびキャッチャ用プロテクタおよび器具；ホッケースティック、ホッケー用プロテクタまたは他のホッケー用器具；ラッペリングまたは山登り用器具；ボール；ラクロス用器具；テニス用器具；フットボール用プロテクタおよび器具；運動競技トレーニング器具；カヌーまたはカヤック用器具；ランニング用器具；サッカー用器具；テニス用器具；ボクシング用器具等が含まれるが、これらに限定されるわけではない。測定され得る適切なパラメータの例としては、ボール速度；ボールスピン；スイング速度、サイクリングまたは他の移動速度および／または距離；衝撃力および／または衝撃方向；ユーザーのランニング速度および／または距離；GPS情報；活動に付随する身体的または生理学的データ；加えられた力の大きさおよび／または方向などが含まれるが、これらに限定されるわけではない。
【００７０】
上記のようにモジュール102はまた、本発明から逸脱することなく入力データを受信することもできる(例えば、該当する場合、従来の有線または無線接続を介して、送信機／受信機構106を通して等)。例えば、モジュール102は、それが使用を認可されている起動および／または認証特性、所有者情報、トラックまたはルート情報等を表示する情報を受信することができる。所望であれば、情報の受信、起動および／または認証を目的として使用されるモジュール102に搭載されている磁気センサ、光センサまたは他のデバイスを、入力データの受信のため(例えばマイクロプロセッサ内、モジュール102に搭載されたメモリー内、外部メモリー内等への記憶のため)に使用することができる。図9は、モジュール102の中に（例えば該モジュールのマイクロプロセッサレジスタへ、オンボードメモリ等へ）データを入力するためのシステム900の例を図示する。システム900は、電磁石902ならびにこの電磁石902にパルスオンおよびオフをさせるデバイス904を含む(またはそうでなければ、パルス信号を送るデバイス、例えばコイル電線および交流電流源を使用する等ができる)。電磁パルス(デバイス904により制御される)を使用して、モジュール102に搭載された磁気センサを起動することができ(図2参照)、これにより出力が生成される(起動および認証手順例に関連して先で記載されているように)。パルスを制御することにより(例えばパルス無し＝論理0ビット、1パルス＝論理1ビット)、入力データを生成し、マイクロプロセッサ、メモリーまたはモジュールに搭載された他のデバイスの中にそれを記憶することができる。この特徴は例えば、販売場所において(例えば購買者の識別情報、起動／認証情報および／または他の所望の情報を入力するため)、レース会場において(例えばスポーツ選手の識別情報、トラックまたはルート情報等を入力するため)、別の使用場所の地点(例えば体育館、健康施設等)等において、使用可能である。当然、本発明から逸脱することなく、この方式で任意の所望のデータを入力すること、任意の入力源タイプを使用すること(磁気源／センサ等ではなく、パルス光源および検出器等)等ができる。
【００７１】
その上、図10に図示されているように、モジュール102は、入力データを受信するとき、衣類品500または運動競技用器具から取り外される必要がない。むしろ、図10に示されているように、モジュール102は衣類品500または運動競技用器具と係合させられて、なおも図9との関係において先に記載した方式で、入力データを受信することができる。事実、衣類品または運動競技用器具900は、入力データの少なくともいくつかが電磁石902 (またはパルス光源などの他の入力データ源等)を介して送信される場合、実際にユーザーにより着用中または使用中でもよい。該システムは、例えばレース会場または他の使用地点または競技の場所で、データを入力しおよび／またはモジュール102のいくつかの機能を開始させるために特に有用である。
【００７２】
図9および図10との関係において先で記載されているデータ入力システムおよび方法により、外部パルス磁石、光源または他の供給源を使用してモジュール102内にデータを入力することが可能となる。この配置の1つの利点は、データ入力システムが非接触型であり、無線またはIR入力を使用せず、使用が簡単であるということにある。また、それにより、モジュールを例えば所望であればハウジング上にいかなる物理的開口部も伴わずに、水密、気密な方式で生産することが可能となる。
【００７３】
この方式でのデータ入力は、多様な目的で使用することができる。一例では、ユーザー(または他の者)がさまざまな操作「モード」を設定できるようになる。一例としては、データをメモリー内に実際に入力するのではなく、入信号の周波数を検出し、さまざまな操作モードを設定するのにこれを用いることができる(例えば、10Hzの入力はモジュール102を「テスト」モードにし、20Hzではそれを「サイレント」または非起動モードにし、60Hzではそれをフル操作モードにする(例えば表示デバイスに対するFMデータ送信等を含む)等)。「テストモード」は例えば、テストジグ内にモジュールを設置しその機能をテストすること(例えば予め定められた一連のテストをそれに対して行なう、診断を行なう等)によって、工場で使用することができる。小売店または他の販売場所において、モジュール102は、図9および10に示されているように電磁石の上に設置され、データ入力が与えられて（例えば特定の予め定められた周波数）、購入後初めての使用に関してそれを起動することができる(例えば以前に店内で試着等によりモジュールおよび／または衣類品または器具にログオンされたすべてのマイル距離または情報を初期化するため)。運動競技イベントでは、ユーザーは、電磁石マット(または他の適切なデータ入力デバイス)上に立つかすわることができ、入力データを用いて特殊な「リワードモード」にモジュールを置くことができる(例えば、それをプロンプトして、走行総マイル距離、器具または衣類を用いた総マイル数または時間、一定時間における総マイル数等を示すデータを送り、そうすると着用者は先に指定したゴールに対する自らの進捗度をチェックでき、ログされたマイル距離または時間データ等に基づいて賞または褒美を勝ち取ることができる)。データ入力のこれらの方法を使用してまた、例えば特定の用途のため、歩数計モード、ランモード、バスケットボールジャンプ高さ記録モード、ゲームモード等のさまざまな予め定められたまたは特殊な操作モードにモジュールを設置することができる。
【００７４】
当然、例えば図9および10に関連して記述されたシステムおよび方法により導入された入力に基づいて、多様な異なるモードおよび使用を提供することが可能である。より特定的な例としては、該システムおよび方法を使用して下記が可能である：(a)「エアラインスリープモード」を起動すること(例えばキオスクまたは空港内の他の場所等においてデータ送信および／または受信能力をオフ切換えすること、予め定められた時間等にわたりモジュールをオフ切換えすること；(b) モジュールを「ゲームモード」に設置して、ビデオゲーム、身体運動ゲームまたは他のゲームまたは報酬プログラム等に用いられるデータを収集すること；(c) アップグレードするまたは新しいファームウェアまたはソフトウェアを追加すること；(d) 例えば出荷または他の使用しない時間 (例えば非常に低い電力で有効期間を確保する等)のために、「パワーセーブモード」を起動すること；(e) システム(例えばマイル距離計数器、ゲーム得点等)をリセットすること；(f) 総マイル距離、ログされた時間数、識別情報、他の所望の情報等を出力するようモジュールに信号を送ること、(g) 個人的情報(例えば、氏名、住所、身長、体重、ランニングクラブ、身分情報等)を入力するため；等。また、図9および／または図10に示されたもののようなユーザデータ入力システムを、例えば下記のために使用することができる： (a)「低電力」または「アンチデッド(anti-dead)」操作オーバーライド(ユーザーが全てのバッテリ寿命を使い切りそれでも記憶された情報を得ることができるようにするため)を提供すること；(b) 製造者において「パートナーコード」をセットアップすること (例えばモジュールと共に使用するための認証パラメータを設定すること等)；(c) データスクランブリングおよび暗号化(所望であればまたはシステムが使用する場合)のために用いられるセキュリティキーを変更すること；(d) 速度連続体の漸次低速の端部でモジュールの検出器がより良好に働くことができるようにし、高速度でまたは広範囲の速度にわたる使用に向けてこの設定値を最適化しないために使用することのできる、パフォーマンス限界を設定すること(例えばモジュールが標準的に低速で用いられることを表示するため等)；(e) ユーザーのモデルに整合するように受信機(例えばラジオ、ビデオ、MP3プレーヤー、他の表示デバイス)の性能特性を変更すること；(f) 出力を変更するかまたは変更周波数を表示する(例えば、1秒に2回、10秒毎に1回等などのように表示する情報を更新または変更する)こと；(g) 操作／電力消費モードを変更すること(例えば、非常に高い精度計数値または他のデータを提供するためにより高い電力、対、より低い電力、これは数ステップまたはデータポイントが欠如しているかもしれない(例えば単に散歩しているだけのときに適している)が、バッテリ寿命を節約する；等)。また、本発明から逸脱することなく、例えば図9および図10に示されているシステムを介して、モジュール102に広範囲の他の入力を提供することができる。
【００７５】
以上の例の多くは、衣類品または運動競技用器具上に取り付けられたデバイスと、起動／認証を目的としてモジュールに含まれているデバイスの間の相互作用について記述している。しかしながら本発明は、この特定の環境または構造的配置における使用に限定されない。むしろ、所望であれば、ただ1つの部材の上に供給源とセンサの両方を含むことができ(例えば両方共モジュールの上かまたは両方共衣類品または運動競技用器具の上)、モジュールが衣類品または運動競技用器具内に挿入された場合(または別の方法で、衣類品または運動競技用器具と相互作用した場合)、検出されたパラメータの変化を、起動／認証目的で使用することができる。例えば、検出された磁場、光線中断、光線透過／反射／角度／強度特性、物理的相互作用等の変化は、モジュールが衣類品または運動競技用器具内に挿入された場合、誘発されることができ、該変化を、本発明から逸脱することなく起動／認証の目的で使用することができる。
【００７６】
また以上の記述の多くは、磁石または他の供給源が衣類品または運動競技用器具の上に位置し、起動および／または認証の目的で使用されているシステムに関するものである。これは、本発明の全ての例における必要条件ではない。例えば、所望であれば、磁石または他の起動／認証イニシェータ源を、腕時計、指輪、ブレスレット、履き物、周辺デバイス等の別のデバイスの上に提供することができ、このときこの他のデバイスを、衣類品または運動競技用器具内のモジュールの近くに移動させてデータ収集を開始させることができる(例えば起動および／また認証目的で)。
【００７７】
さらに、以上の記述および特定の例の多くは、衣類品または運動競技用器具内に取り付けられた電子モジュールが衣類品または運動競技用器具の使用に関する情報(例えば衣類または運動競技用器具の使用に付随する身体的または生理学的データ)を提供または検知するシステムおよび方法に関するものである。本発明の少なくともいくつかの例によるシステムおよび方法は、これらの使用タイプに限定されない。むしろ、所望であれば、電子デバイスまたはモジュールは、本発明から逸脱することなく、任意の所望の機能を実施しおよび／または任意のタイプのデータを検知または監視することができる。潜在的な機能または操作のさらなる例としては、データ送信および／または受信機能、RFID送信および／または受信機能の有効化、他のシステム(例えば能動的衝撃減衰制御システム等)の制御、ラジオまたは他のオーディオ／ビデオ送信または表示デバイスの制御、ラジオ放送の受信(例えばAM/FMラジオ等)等が含まれるが、これらに限定されるわけではない。
【００７８】
上記のように衣類品および／または運動競技用器具内で使用される同じ電子モジュールはまた、例えば2005年6月27日付けの共同所有の米国特許出願第11/166,351号により詳細に記述されているように、履物品の中で使用することができる。所望であれば、単一の電子モジュールをユーザーが所与の品物の上の異なる場所等へ選択的におよび自由に移動させて、例えば、1つの品物から他の品物へと交換する(衣類品、履物品および／または運動競技用器具の間で)ことができる。先で記載されたさまざまな起動および／または認証システムあるいはそのさまざまな異なる配置を、電子モジュールにより使用して、例えば電子モジュールまたは電子モジュールからのデータを受信するシステムに対し、下記情報を与えることができる：(a) それが中に取り付けられている品物のタイプ(例えば靴、衣類品または器具；靴、衣類または器具のタイプ；靴、衣類または器具が上にある場所等)、(b) 検知し、収集しまたは使用するデータもしくは情報のタイプ、ならびに／あるいは(c) 起動または使用するデータアルゴリズム等。別の代替案としては、所望であれば、電子モジュールとそれが取り付けられている品物(例えば靴、衣類または運動競技用器具等)の間で交換されるデータを、電子モジュールまたは電子モジュールからのデータを受信するシステムに、それが中に取り付けられているデバイスのタイプ、取り付け場所、行なう監視のタイプ、起動させるセンサのタイプ、実行するデータ処理アルゴリズム等に関する情報を与えることができる。より特定的な例としては、所望であれば、履物品、衣類品または運動競技用器具上のレセプタクル内に電子モジュールを取り付けることで、電子モジュールが取り付けられているデバイスのタイプおよび／またはデバイス上のその場所に関する情報を与えるRFID送信(例えば取り付けデバイスからモジュールへ)を引き起こすことができる。この情報は、電子モジュールまたはそこからデータを受信するシステムによって、センサ起動目的、データ監視選択目的、データ処理アルゴリズム選択目的等のために使用することができる。この方式で、多様な異なる目的のためおよび／または例えば衣類、履物および運動競技用器具または他の器具を含めた多様な異なる用品またはデバイス上で、多様な異なる身体的または生理学的パラメータを測定するために、単一の電子モジュールを互換的に使用することができる。
【００７９】
III. 結論
本発明は、現在好まれている本発明のモードを含む特定の例に関して記述してきたが、当業者であれば、先で記載されたシステムおよび方法の数多くの変形および置換が存在することを認識するであろう。本発明から逸脱することなく、例えば異なる組合せで本発明のさまざまな局面を使用することができ、単一のシステムまたは方法の中で本発明の局面のさまざまな異なる部分的組合せを一緒に使用することができる。また、上記のさまざまな方法段階を、本発明から逸脱することなく、変更し、順序を変更し、削除し、かつ／またはさらなる段階を追加することもできる。したがって、本発明は、添付の請求の範囲に説明されている通りに広義に解釈されるべきものである。
【図１】
2014058770.tif 000003
【図２】
2014058770.tif 000004
【図３】
2014058770.tif 000005
【図４】
2014058770.tif 000006
【図５】
2014058770.tif 000007
【図６】
2014058770.tif 000008
【図７】
2014058770.tif 000009
【図８】
2014058770.tif 000010
【図９】
2014058770.tif 000011
【図１０】
2014058770.tif 000012
【手続補正書】
【提出日】平成25年11月22日(2013.11.22)
【手続補正１】
【補正対象書類名】特許請求の範囲
【補正対象項目名】全文
【補正方法】変更
【補正の内容】
【特許請求の範囲】
【請求項１】
電子デバイスを含む第1のモジュールと、運動競技用器具のモジュール固定要素との係合を検出する段階；
第1のモジュールが係合されている運動競技用器具の場所または運動競技用器具のタイプのうちの少なくとも1つを決定する段階；および
決定された運動競技用器具上の場所または運動競技用器具のタイプのうちの少なくとも1つに基づいてデータ処理アルゴリズムを選択する段階
を含む、データ処理アルゴリズム選択方法。
【請求項２】
決定する段階が、
運動競技用器具のモジュール起動システムと第1のモジュールとの間の相互作用の特性を検知する段階
を含む、第1のモジュールが係合されている運動競技用器具のタイプの決定
を含み、検知された特性が運動競技用器具のタイプを示す、請求項1記載のデータ処理アルゴリズム選択方法。
【請求項３】
電子デバイスの検知要素を用いて、運動競技用器具の使用に付随する1つまたは複数の身体的特性を検知する段階をさらに含む、請求項1記載のデータ処理アルゴリズム選択方法。
【請求項４】
検知要素によって検知された1つまたは複数の身体的特性に少なくとも一部基づいて、選択されたデータ処理アルゴリズムを開始する段階をさらに含む、請求項3記載のデータ処理アルゴリズム選択方法。
【請求項５】
電子デバイスを含む第2のモジュールと、運動競技パフォーマンス中に着用している衣類品上に取り付けられた第2のモジュール固定要素との係合を検出する段階；および
第2のモジュールが係合されている衣類品のタイプを決定する段階
をさらに含む、データ処理アルゴリズム選択方法。
【請求項６】
決定された衣類品のタイプに少なくとも一部基づいて、選択されたデータ処理アルゴリズムを開始する段階をさらに含む、請求項5記載の方法。
【請求項７】
モジュール固定要素を含む運動競技用器具と、
少なくとも一部分が運動競技用器具に含まれているモジュール起動システムと、
電子デバイスを含み、かつモジュール固定要素と取り外し可能に係合されるように構成されている、モジュールと
を含み、モジュール起動システムとモジュールとの間の相互作用が、モジュールにデータ処理アルゴリズム選択情報を提供する、運動競技用器具システム。
【請求項８】
モジュール起動システムとモジュールとの間の相互作用が、モジュールが係合されている運動競技用器具のタイプを示すように構成されており、モジュールが、該相互作用に応答して、示された運動競技用器具のタイプに関連するデータ処理アルゴリズムを開始するように構成されている、請求項7記載の運動競技用器具システム。
【請求項９】
モジュール起動システムが磁石を含み、モジュールが磁気センサを含む、請求項8記載の運動競技用器具システム。
【請求項１０】
モジュール起動システムとモジュールとの間の相互作用が、モジュールが係合されている運動競技用器具の場所を示すように構成されており、モジュールが、該相互作用に応答して、示された場所に関連するデータ処理アルゴリズムを開始するように構成されている、請求項8記載の運動競技用器具システム。
【請求項１１】
モジュール起動システムが複数の磁石を含み、モジュールが少なくとも1つの磁気センサを含む、請求項10記載の運動競技用器具システム。
【請求項１２】
運動競技用器具が複数のモジュール固定要素を含み、モジュール起動システムとモジュールとの間の相互作用が、モジュールが係合されている複数のモジュール固定要素のうちの少なくとも1つのモジュール固定要素を識別するように構成されており、モジュールが、該相互作用に応答して、識別されたモジュール固定要素に関連するデータ処理アルゴリズムを開始するように構成されている、請求項7記載の運動競技用器具システム。
【請求項１３】
複数のモジュール固定要素における各々のモジュール固定要素が、独立したモジュール起動システム部分を含む、請求項12記載の運動競技用器具システム。
【請求項１４】
各々の独立したモジュール起動システム部分が磁石を含み、モジュールが磁気センサを含む、請求項13記載の運動競技用器具システム。
【請求項１５】
モジュール固定要素が、モジュールを収容するための運動競技用器具内に画定されたレセプタクルを含む、請求項7記載の運動競技用器具システム。